(57)【要約】  本発明は遠隔操作技術に関し、特に、赤外線遠隔操作機能を有する端末及び赤外線遠隔操作に関するペアリング方法に関する。本発明の実施形態において提供される端末では、メモリが赤外線コードライブラリを格納し、プロセッサが赤外線コードライブラリから赤外線コードを選択し、赤外線送信機が、赤外線コードに従って赤外線信号を遠隔操作される装置に送信し、センサが、遠隔操作される装置が赤外線信号を受信した後に生じる遠隔操作される装置の状態変化を感知する。プロセッサは、センサが感知した遠隔操作される装置の状態変化に従って、端末が遠隔操作される装置とのペアリング確立に成功したかどうかを判定する。特定の遠隔操作される装置の場合、赤外線信号を遠隔操作される装置に送信した後に、端末は、端末のセンサを用いて遠隔操作される装置の状態変化を感知し、その状態変化に従って、端末が遠隔操作される装置とのペアリング確立に成功したかどうかを判定する。端末が遠隔操作される装置とペアリングを自動的に確立するための解決手段が提供され、インテリジェントな遠隔操作の間のペアリングプロセスについて自動化の程度が改善される。
2017537554.tif 000002
【特許請求の範囲】
【請求項１】
赤外線遠隔操作機能を有する端末であって、
赤外線コードライブラリを格納するよう構成されたメモリと、
前記メモリに格納された前記赤外線コードライブラリから赤外線コードを選択するよう構成されたプロセッサと、
前記プロセッサが選択した前記赤外線コードに従って、遠隔操作される装置に赤外線信号を送信するよう構成された赤外線送信機と、
前記赤外線送信機が前記赤外線信号を送信した後、前記遠隔操作される装置が前記赤外線信号を受信後に生じる前記遠隔操作される装置の状態変化を感知するよう構成されたセンサと
を備え、
前記プロセッサはさらに、前記センサが感知した前記遠隔操作される装置の前記状態変化に従って、前記端末が前記遠隔操作される装置とのペアリング確立に成功したかどうかを判定するよう構成される、
端末。
【請求項２】
前記端末はさらに回転装置を備え、前記回転装置は、前記プロセッサの制御の下で、前記端末を水平方向及び鉛直方向に回転させるよう構成され、
前記プロセッサはさらに、前記赤外線送信機が前記赤外線信号を前記遠隔操作される装置に発する前に、前記遠隔操作される装置の前記端末に対する空間角座標を決定し、前記端末が送信した前記赤外線信号が前記遠隔操作される装置に向くように、決定した前記空間角座標に従って前記端末を回転させるべく前記回転装置を制御するよう構成され、
前記プロセッサは特に、前記端末が送信した前記赤外線信号が前記遠隔操作される装置に向くように、前記回転装置が前記遠隔操作される装置を回転させた後に、前記プロセッサが選択した前記赤外線コードに従って、前記赤外線信号を前記遠隔操作される装置に送信すべく前記赤外線送信機を制御するよう構成される、
請求項１に記載の端末。
【請求項３】
前記プロセッサは特に、
前記センサにより送信される動作感知情報を受信し、前記動作感知情報は、前記遠隔操作される装置が前記赤外線信号を受信した後に生じる前記遠隔操作される装置の感知された前記状態変化によって、前記センサにより取得される情報であり、
前記動作感知情報に従って前記遠隔操作される装置の前記状態変化を判定し、
判定した前記遠隔操作される装置の前記状態変化が前記赤外線信号により示された操作と一致する場合には、前記端末が前記遠隔操作される装置とのペアリング確立に成功したと判定し、又は、
判定した前記遠隔操作される装置の前記状態変化が前記赤外線信号により示される動作と一致しない場合には、前記端末が前記遠隔操作される装置とのペアリング確立に失敗したと判定するよう構成される、
請求項１に記載の端末。
【請求項４】
赤外線遠隔操作機能を有する端末であって、
プロセッサと、赤外線送信機と、回転装置とを備え、
前記回転装置は、前記プロセッサの制御の下で、前記端末を水平方向及び鉛直方向に回転させるよう構成され、
前記赤外線送信機は、前記プロセッサの制御の下で、赤外線信号を遠隔操作される装置に発するよう構成され、
前記プロセッサは、
前記端末を回転させるよう前記回転装置を制御するプロセスにおいて、前記端末の周辺の遠隔操作される装置に関し、前記端末に対する遠隔操作される各装置の空間角座標を決定し、
前記端末が送信した前記赤外線信号が前記空間角座標にある遠隔操作される装置に向くように、前記空間角座標に従って前記端末を回転させるよう、決定した空間角座標のセットごとに前記回転装置を制御し、次に前記端末が前記遠隔操作される装置とペアリングを確立するように、前記赤外線信号を前記遠隔操作される装置に送信すべく前記赤外線送信機を制御するよう構成される、
端末。
【請求項５】
前記端末はさらにセンサを備え、前記センサは、前記端末の周辺の物体の動作を感知するよう構成され、
前記プロセッサは特に、
前記空間角座標にある前記遠隔操作される装置に前記赤外線信号を送信するよう、決定した空間角座標のセットごとに前記赤外線送信機を制御した後に、前記遠隔操作される装置が前記赤外線信号を受信した後に生じる前記遠隔操作される装置の状態変化を感知するよう前記センサを制御し、
前記センサが感知した前記遠隔操作される装置の前記状態変化に従って、前記端末が前記遠隔操作される装置とのペアリング確立に成功したかどうかを判定するよう構成される、
請求項４に記載の端末。
【請求項６】
赤外線遠隔操作機能を有する端末の赤外線遠隔操作に関するペアリング方法であって、
前記端末に格納された赤外線コードライブラリから前記端末が赤外線コードを選択する段階と、
前記選択した赤外線コードに従って、前記端末が赤外線信号を遠隔操作される装置に送信する段階と、
前記遠隔操作される装置が前記赤外線信号を受信した後に生じる前記遠隔操作される装置の状態変化を、前記端末が前記端末のセンサを用いて感知する段階と、
前記センサが感知した前記遠隔操作される装置の前記状態変化に従って、前記端末が前記遠隔操作される装置とのペアリング確立に成功したかどうかを前記端末が判定する段階とを
備える
方法。
【請求項７】
前記端末は、前記端末を水平方向及び鉛直方向に回転させるよう構成された回転装置を有し、
前記端末が、遠隔操作される装置用の赤外線コードを、前記端末に格納された赤外線コードライブラリから前記選択する段階の前に、前記方法はさらに、前記遠隔操作される装置の前記端末に対する空間角座標を前記端末が決定する段階を備え、
前記選択した赤外線コードに従って、前記端末が赤外線信号を遠隔操作される装置に前記送信する段階は、前記端末が送信した前記赤外線信号が前記遠隔操作される装置に向くように、決定した前記空間角座標に従って前記端末を回転させるよう、前記端末が前記回転装置を制御する段階を含む、
請求項６に記載の方法。
【請求項８】
前記端末が前記遠隔操作される装置とのペアリング確立に成功したかどうかを、前記端末が、前記遠隔操作される装置の感知された前記状態変化に従って前記判定する段階は、
前記動作感知情報に従って、前記端末が前記遠隔操作される装置の前記状態変化を判定する段階であって、前記動作感知情報は、前記遠隔操作される装置が前記赤外線信号を受信した後に生じる前記遠隔操作される装置の感知された前記状態変化によって、前記センサにより取得される情報である、段階と、
判定した前記遠隔操作される装置の前記状態変化が、前記赤外線信号により示される動作と一致する場合には、前記端末が前記遠隔操作される装置とのペアリング確立に成功したと前記端末が判定する段階、又は判定した前記遠隔操作される装置の前記状態変化が、前記赤外線信号により示される動作と一致しない場合には、前記端末が前記遠隔操作される装置とのペアリング確立に失敗したと前記端末が判定する段階とを含む、
請求項６に記載の方法。
【請求項９】
赤外線遠隔操作機能を有する端末の赤外線遠隔操作に関するペアリング方法であって、前記端末は、前記端末を水平方向及び鉛直方向に回転させるよう構成された回転装置を備え、
前記端末を回転させるよう前記回転装置を制御するプロセスにおいて、前記端末の周辺の遠隔操作される装置に関し、前記端末に対する遠隔操作される各装置の空間角座標を前記端末が決定する段階と、
前記端末が送信した赤外線信号が前記空間角座標にある遠隔操作される装置に向くように、前記空間角座標に従って前記端末を回転させるよう、決定した空間角座標のセットごとに前記回転装置を前記端末が制御し、次に前記遠隔操作される装置とペアリングを確立するように、前記空間角座標にある前記遠隔操作される装置に前記赤外線信号を送信する段階と
を備える
方法。
【請求項１０】
前記遠隔操作される装置とペアリングを確立するように、前記選択した赤外線コードに従って、前記端末が赤外線信号を前記遠隔操作される装置に送信する段階は、
前記赤外線信号を送信する段階の後に、前記遠隔操作される装置が前記赤外線信号を受信した後に生じる前記遠隔操作される装置の状態変化を、前記端末が前記端末のセンサを用いて感知する段階と、
前記センサが感知した前記遠隔操作される装置の前記状態変化に従って、前記端末が前記遠隔操作される装置とのペアリング確立に成功したかどうかを前記端末が判定する段階と
を備える、
請求項９に記載の方法。
【発明の詳細な説明】
【技術分野】
【０００１】
本願は、２０１４年１２月１１日に中国特許庁に出願された「赤外線遠隔操作機能を有する端末及び赤外線遠隔操作に関するペアリング方法」と題する中国特許出願第ＣＮ２０１４１０７７６６７７．４号の優先権を主張し、当該特許出願はその全体の参照により本明細書に組み込まれる。本発明は遠隔操作技術に関し、特に、赤外線遠隔操作機能を有する端末及び赤外線遠隔操作に関するペアリング方法に関する。
【背景技術】
【０００２】
ますます多くの携帯電話が赤外線モジュールを搭載している、又はインタフェースを用いることで赤外線モジュールを提供されることがある。赤外線モジュールは、別の制御装置に接続する機能及び赤外線遠隔操作機能を有するハードウェア回路の組み合わせであり、赤外線エミッタ、駆動回路、及び通信回路を含む。携帯電話は、赤外線モジュールを用いることで、テレビ、エアコンなどを遠隔操作するリモコンとして働くことができる。
【０００３】
通常、携帯電話は遠隔操作機能を最初から持っているわけではなく、遠隔操作される装置とペアリングを確立した後にのみ、その装置を遠隔操作することができる。一般的に、ペアリングプロセスは以下の段階を含む。
【０００４】
段階１：ユーザが、遠隔操作される装置のモデル又はブランドを携帯電話に入力する。
【０００５】
段階２：ユーザが入力したモデル又はブランドに従って、携帯電話に格納された赤外線コードライブラリから赤外線コードを選択する。
【０００６】
段階３：選択した赤外線コードに従って赤外線信号を符号化し、符号化した赤外線信号を遠隔操作される装置に送信する。
【０００７】
段階４：遠隔操作される装置が正しく応答したとユーザが判定した場合、ユーザはマッチングが成功したと判定する。そうでなければ、段階１に戻って、段階１から段階４までのペアリングプロセスを繰り返す。
【０００８】
ペアリングプロセスのデメリットには、ユーザが装置のモデル又はブランドを手動で入力する必要があること、且つマッチングが成功したかどうかを手動で判定する必要があることが含まれ、これにより、自動化の程度が低くなる。
【発明の概要】
【０００９】
本発明の実施形態は、遠隔操作される装置とのペアリングを自動的に確立するための解決手段を提供して、インテリジェントな遠隔操作の間のペアリングプロセスについて自動化の程度を向上させるために、赤外線遠隔操作機能を有する端末及び赤外線遠隔操作に関するペアリング方法を提供する。
【００１０】
第１の態様に従い、本発明のある実施形態が赤外線遠隔操作機能を有する端末を提供し、この端末には、赤外線コードライブラリを格納するよう構成されたメモリと、メモリに格納された赤外線コードライブラリから赤外線コードを選択するよう構成されたプロセッサと、プロセッサが選択した赤外線コードに従って遠隔操作される装置に赤外線信号を送信するよう構成された赤外線送信機と、赤外線送信機が赤外線信号を送信した後、遠隔操作される装置が赤外線信号を受信後に生じる遠隔操作される装置の状態変化を感知するよう構成されたセンサとが含まれる。プロセッサはさらに、センサが感知した遠隔操作される装置の状態変化に従って、端末が遠隔操作される装置とのペアリング確立に成功したかどうかを判定するよう構成される。
【００１１】
第１の態様に関連して、第１の可能な実装態様では、端末はさらに回転装置を含む。回転装置は、プロセッサの制御の下で、端末を水平方向及び鉛直方向に回転させるよう構成される。プロセッサはさらに、赤外線送信機が赤外線信号を遠隔操作される装置に発する前に、端末に対する遠隔操作される装置の空間角座標を決定し、端末が送信した赤外線信号が遠隔操作される装置に向くように、決定した空間角座標に従って端末を回転させるべく回転装置を制御するよう構成される。端末が送信した赤外線信号が遠隔操作される装置に向くように、回転装置が遠隔操作される装置を回転させた後に、プロセッサは特に、プロセッサが選択した赤外線コードに従って、赤外線信号を遠隔操作される装置に送信すべく赤外線送信機を制御するよう構成される。
【００１２】
第１の態様の第１の可能な実装態様に関連して、第２の可能な実装態様では、センサはカメラを含み、プロセッサは特に、回転装置が端末を回転させるプロセスにおいて、予め設定した時間間隔ごとに、予め設定した水平角及び鉛直角ごとに、又は予め設定した複数の空間角で、別々に写真を撮影するようカメラを制御し、カメラが撮影した各写真に対応して、写真を撮影した際の端末のピッチ角及び水平角を記録し、カメラが撮影した写真から遠隔操作される装置の写真を判定して、判定した遠隔操作される装置の写真から遠隔操作される装置が中心に存在する写真を判定し、遠隔操作される装置が中心に存在する写真に対応する記録した端末のピッチ角及び水平角を、端末に対する遠隔操作される装置の空間角座標として用いるよう構成される。
【００１３】
第１の態様の第２の可能な実装態様に関連して、第３の可能な実装態様では、メモリはさらに、遠隔操作される装置の外観特性値を格納するよう構成され、プロセッサは特に、カメラが撮影した各写真内の撮影された物体の外観特性値を抽出し、抽出した外観特性値を端末に格納されている遠隔操作される装置の外観特性値と比較し、撮影された物体の外観特性値が格納された遠隔操作される装置の外観特性値と一致する写真を、遠隔操作される装置の写真として用いるよう構成される。
【００１４】
第１の態様に関連して、第４の可能な実装態様では、プロセッサは特に、センサにより送信される動作感知情報を受信し、動作感知情報は、遠隔操作される装置が赤外線信号を受信した後に生じる遠隔操作される装置の感知された状態変化によって、センサにより取得される情報であり、動作感知情報に従って遠隔操作される装置の状態変化を判定し、判定した遠隔操作される装置の状態変化が赤外線信号により示される動作と一致する場合には、端末が遠隔操作される装置とのペアリング確立に成功したと判定し、又は判定した遠隔操作される装置の状態変化が赤外線信号により示される動作と一致しない場合には、端末が遠隔操作される装置とのペアリング確立に失敗したと判定するよう構成される。
【００１５】
第１の態様の第４の可能な実装態様に関連して、第５の可能な実装態様では、センサは音センサ及び／又はカメラを含む。
【００１６】
第２の態様に従って、本発明のある実施形態が、赤外線遠隔操作機能を有する端末を提供し、端末には、プロセッサと、赤外線送信機と、回転装置とが含まれる。回転装置は、プロセッサの制御の下で、端末を水平方向及び鉛直方向に回転させるよう構成される。赤外線送信機は、プロセッサの制御の下で、赤外線信号を遠隔操作される装置に発するよう構成される。プロセッサは、端末を回転させるよう回転装置を制御するプロセスにおいて、端末周辺の遠隔操作される装置に関し、端末に対する遠隔操作される各装置の空間角座標を決定し、端末が送信した赤外線信号が当該空間角座標にある遠隔操作される装置に向くように、空間角座標に従って端末を回転させるよう、決定した空間角座標のセットごとに回転装置を制御し、端末が遠隔操作される装置とペアリングを確立するように、赤外線信号を遠隔操作される装置に送信すべく赤外線送信機を制御するよう構成される。
【００１７】
第２の態様に関連して、第１の可能な実装態様では、端末はさらにカメラを含み、プロセッサは特に、回転装置が端末を回転させるプロセスにおいて、予め設定した時間間隔ごとに、予め設定した水平角及び鉛直角ごとに、又は複数の予め設定した空間角で別々に写真を撮影するようカメラを制御し、カメラが撮影した各写真に対応して、写真を撮影した際の端末のピッチ角及び水平角を記録し、カメラが撮影した写真から遠隔操作される各装置の写真を判定して、遠隔操作される装置ごとに、遠隔操作される装置が中心に存在する写真を遠隔操作される装置の写真から判定し、遠隔操作される装置ごとに、遠隔操作される装置が中心に存在する写真に対応する記録した端末のピッチ角及び水平角を、端末に対する遠隔操作される装置の空間角座標として用いるよう構成される。
【００１８】
第２の態様の第１の可能な実装態様に関連して、第２の可能な実装態様では、端末はさらにメモリを含む。メモリは、赤外線方式で遠隔操作され得る装置の外観特性値を格納するよう構成される。プロセッサは特に、カメラが撮影した写真ごとに、写真内の撮影された物体の外観特性値を抽出し、写真内の撮影された物体から抽出した外観特性値を、メモリに格納された赤外線方式で遠隔操作され得る装置の外観特性値と比較して、撮影された物体の外観特性値が撮影された物体の格納された外観特性値と一致する写真を、遠隔操作される装置の写真として用いるよう構成される。
【００１９】
第２の態様の第２の可能な実装態様に関連して、第３の可能な実装態様では、プロセッサはさらに、撮影された物体の外観特性値が撮影された物体の格納された外観特性値と一致する写真を、遠隔操作される装置の写真として用いた後、遠隔操作される装置とペアリングを確立するように、空間角座標にある遠隔操作される装置に赤外線信号を送信するよう、決定した空間角座標のセットごとに赤外線送信機を制御する前に、撮影された物体の外観特性値が撮影された物体の格納された外観特性値と一致する写真内の撮影された物体の外観特性値に従って、写真内の遠隔操作される装置のタイプを判定するよう構成される。メモリはさらに、赤外線コードライブラリを格納するよう構成され、プロセッサは特に、空間角座標にある遠隔操作される装置のタイプに従って、メモリに格納された赤外線コードライブラリから、決定した空間角座標のセットごとに赤外線コードを選択し、端末が遠隔操作される装置とペアリングを確立するように、選択した赤外線コードに従って赤外線信号を遠隔操作される装置に送信すべく赤外線送信機を制御するよう構成される。
【００２０】
第２の態様に関連して、第４の可能な実装態様では、端末はさらにセンサを含む。センサは端末周辺の物体の動作を感知するよう構成され、プロセッサは特に、空間角座標にある遠隔操作される装置に赤外線信号を送信するよう、決定した空間角座標のセットごとに赤外線送信機を制御した後、遠隔操作される装置が赤外線信号を受信した後に生じる遠隔操作される装置の状態変化を感知するようセンサを制御し、センサが感知した遠隔操作される装置の状態変化に従って、端末が遠隔操作される装置とのペアリング確立に成功したかどうかを判定するよう構成される。
【００２１】
第２の態様の第４の可能な実装態様に関連して、第５の可能な実装態様では、プロセッサは特に、センサが送信した動作感知情報を受信し、動作感知情報は、遠隔操作される装置が赤外線信号を受信した後に生じる遠隔操作される装置の感知された状態変化によって、センサにより取得される情報であり、動作感知情報に従って遠隔操作される装置の状態変化を判定し、判定した遠隔操作される装置の状態変化が赤外線信号により示される動作と一致する場合には、端末が遠隔操作される装置とのペアリング確立に成功したと判定し、又は判定した遠隔操作される装置の状態変化が赤外線信号により示される動作と一致しない場合には、端末が遠隔操作される装置とのペアリング確立に失敗したと判定するよう構成される。
【００２２】
第２の態様の第５の可能な実装態様に関連して、第６の可能な実装態様では、センサは音センサ及び／又はカメラを含む。
【００２３】
第３の態様に従って、本発明のある実施形態が、赤外線遠隔操作機能を有する端末の赤外線遠隔操作のためにペアリング方法を提供する。本方法には、端末に格納された赤外線コードライブラリから赤外線コードを端末が選択する段階と、選択した赤外線コードに従って端末が遠隔操作される装置に赤外線信号を送信する段階と、遠隔操作される装置が赤外線信号を受信した後に生じる遠隔操作される装置の状態変化を、端末のセンサを用いて端末が感知する段階と、端末が遠隔操作される装置とのペアリング確立に成功したかどうかを、センサが感知した遠隔操作される装置の状態変化に従って端末が判定する段階とを含む。
【００２４】
第３の態様に関連して、第１の可能な実装態様では、端末は、端末を水平方向及び鉛直方向に回転させるよう構成された回転装置を含む。端末に格納された赤外線コードライブラリから遠隔操作される装置用の赤外線コードを端末が選択する段階の前に、本方法はさらに、端末に対する遠隔操作される装置の空間角座標を端末が決定する段階を含み、選択した赤外線コードに従って端末が遠隔操作される装置に赤外線信号を送信する段階は、端末が送信した赤外線信号が遠隔操作される装置に向くように、決定した空間角座標に従って端末を回転させるよう回転装置を端末が制御する段階を含む。
【００２５】
第３の態様の第１の可能な実装態様に関連して、第２の可能な実装態様では、端末に対する遠隔操作される装置の空間角座標を端末が決定する段階は、端末を水平方向及び鉛直方向に回転させるよう端末が回転装置を制御して、回転プロセスの予め設定した時間間隔ごとに、予め設定した水平角及び鉛直角ごとに、又は複数の予め設定した空間角で別々に写真を撮影し、撮影した写真ごとに、写真を撮影した際の端末のピッチ角及び水平角を記録する段階と、端末が、撮影した写真から遠隔操作される装置の写真を判定し、判定した遠隔操作される装置の写真から遠隔操作される装置が中心に存在する写真を判定する段階と、遠隔操作される装置が中心に存在する写真に対応する端末の記録したピッチ角及び水平角を、端末に対する遠隔操作される装置の空間角座標として端末が用いる段階とを含む。
【００２６】
第３の態様の第２の可能な実装態様に関連して、第３の可能な実装態様では、撮影した写真から遠隔操作される装置の写真を端末が判定する段階は、端末が、撮影した各写真内の撮影された物体の外観特性値を抽出し、抽出した外観特性値を端末に格納された遠隔操作される装置の外観特性値と比較し、撮影された物体の外観特性値が格納された遠隔操作される装置の外観特性値と一致する写真を、遠隔操作される装置の写真として用いる段階を含む。
【００２７】
第３の態様に関連して、第４の可能な実装態様では、遠隔操作される装置の感知された状態変化に従って、端末が遠隔操作される装置とのペアリング確立に成功したかどうかを端末が判定する段階は、動作感知情報に従って遠隔操作される装置の状態変化を端末が判定する段階であって、動作感知情報は、遠隔操作される装置が赤外線信号を受信した後に生じる遠隔操作される装置の感知された状態変化によって、センサにより取得される情報である、段階と、判定した遠隔操作される装置の状態変化が赤外線信号により示される動作と一致する場合には、端末が遠隔操作される装置とのペアリング確立に成功したと端末が判定する段階、又は判定した遠隔操作される装置の状態変化が赤外線信号により示される動作と一致しない場合には、端末が遠隔操作される装置とのペアリング確立に失敗したと端末が判定する段階を含む。
【００２８】
第３の態様の第４の可能な実装態様に関連して、第５の可能な実装態様では、センサは音センサ及び／又はカメラを含む。
【００２９】
第４の態様に従って、本発明のある実施形態が、赤外線遠隔操作機能を有する端末の赤外線遠隔操作に関するペアリング方法を提供する。端末は、端末を水平方向及び鉛直方向に回転させるよう構成された回転装置を含む。本方法は、端末を回転させるよう回転装置を制御するプロセスにおいて、端末周辺の遠隔操作される装置に関し、端末に対する遠隔操作される各装置の空間角座標を端末が決定する段階と、端末が送信した赤外線信号が当該空間角座標にある遠隔操作される装置に向くように、空間角座標に従って端末を回転させるよう、決定した空間角座標のセットごとに端末が回転装置を制御する段階と、遠隔操作される装置とのペアリングを確立するように、空間角座標にある遠隔操作される装置に赤外線信号を送信する段階とを含む。
【００３０】
第４の態様に関連して、第１の可能な実装態様では、端末周辺の遠隔操作される装置に関し、端末に対する遠隔操作される各装置の空間角座標を端末が決定する段階は、端末が、端末を水平方向及び鉛直方向に回転させるよう回転装置を制御して、回転プロセスにおいて予め設定した時間間隔ごとに、予め設定した水平角及び鉛直角ごとに、又は複数の予め設定した空間角で別々に写真を撮影し、撮影した写真ごとに、写真を撮影した際の端末のピッチ角及び水平角を記録する段階と、端末が、撮影した写真から遠隔操作される各装置の写真を判定して、遠隔操作される装置ごとに、遠隔操作される装置の写真から遠隔操作される装置が中心に存在する写真を判定する段階と、遠隔操作される装置ごとに、遠隔操作される装置が中心に存在する写真に対応する記録したピッチ角及び水平角を、端末が端末に対する遠隔操作される装置の空間角座標として用いる段階とを含む。
【００３１】
第４の態様の第１の可能な実装態様に関連して、第２の可能な実装態様では、撮影した写真から遠隔操作される各装置の写真を端末が判定する段階は、撮影した写真ごとに、写真内の撮影された物体の外観特性値を端末が抽出する段階と、写真内の撮影された物体から抽出した外観特性値を、端末に格納された赤外線方式で遠隔操作され得る装置の外観特性値と端末が比較して、撮影された物体の外観特性値が撮影された物体の格納された外観特性値と一致する写真を、遠隔操作される装置の写真として用いる段階とを含む。
【００３２】
第４の態様の第２の可能な実装態様に関連して、第３の可能な実装態様では、撮影された物体の外観特性値が撮影された物体の格納された外観特性値と一致する写真を、遠隔操作される装置の写真として端末が用いる段階の後、決定した空間角座標のセットごとに、端末が空間角座標にある遠隔操作される装置とペアリングを確立する段階の前に、本方法はさらに、撮影された物体の外観特性値が撮影された物体の格納された外観特性値と一致する写真内の撮影された物体の外観特性値に従って、写真内の遠隔操作される装置のタイプを判定する段階を含み、遠隔操作される装置とペアリングを確立するように、決定した空間角座標のセットごとに、端末が空間角座標にある遠隔操作される装置に赤外線信号を送信する段階は、空間角座標にある遠隔操作される装置のタイプに従って、決定した空間角座標のセットごとに端末が、端末に格納された赤外線コードライブラリから赤外線コードを選択する段階と、遠隔操作される装置とペアリングを確立するように、選択した赤外線コードに従って、端末が赤外線信号を遠隔操作される装置に送信する段階とを含む。
【００３３】
第４の態様に関連して、第４の可能な実装態様では、遠隔操作される装置とペアリングを確立するように、選択した赤外線コードに従って端末が赤外線信号を遠隔操作される装置に送信する段階は、赤外線信号を送信する段階の後に、遠隔操作される装置が赤外線信号を受信した後に生じる遠隔操作される装置の状態変化を、端末のセンサを用いて端末が感知する段階と、センサが感知した遠隔操作される装置の状態変化に従って、端末が遠隔操作される装置とのペアリング確立に成功したかどうかを端末が判定する段階とを含む。
【００３４】
第４の態様の第４の可能な実装態様に関連して、第５の可能な実装態様では、センサが感知した遠隔操作される装置の状態変化に従って、端末が遠隔操作される装置とのペアリング確立が成功したかどうかを端末が判定する段階は、動作感知情報に従って遠隔操作される装置の状態変化を端末が判定し、動作感知情報は、遠隔操作される装置が赤外線信号を受信した後に生じる遠隔操作される装置の感知された状態変化によって、センサにより取得される情報であり、判定した遠隔操作される装置の状態変化が赤外線信号により示される動作と一致する場合には、端末が遠隔操作される装置とのペアリング確立に成功したと端末が判定する段階、又は判定した遠隔操作される装置の状態変化が赤外線信号により示される動作と一致しない場合には、端末が遠隔操作される装置とのペアリング確立に失敗したと端末が判定する段階とを含む。
【００３５】
第４の態様の第５の可能な実装態様に関連して、第６の可能な実装態様では、センサは音センサ及び／又はカメラを含む。
【００３６】
特定の遠隔操作される装置に関して、第１の態様において提供される赤外線遠隔操作機能を有する端末、及び第３の態様において提供される赤外線遠隔操作に関するペアリング方法では、赤外線信号を遠隔操作される装置に送信した後に、端末は、端末のセンサを用いて遠隔操作される装置の状態変化を感知し、端末は、遠隔操作される装置の感知された状態変化に従って、端末が遠隔操作される装置とのペアリング確立に成功したかどうかを判定する。端末が遠隔操作される装置とペアリングを自動的に確立するための解決手段が提供され、インテリジェントな遠隔操作の間のペアリングプロセスについて自動化の程度が改善される。
【００３７】
第２の態様において提供される赤外線遠隔操作機能を有する端末、及び第４の態様で提供される赤外線遠隔操作に関するペアリング方法では、端末は、回転プロセスにおいて、端末を水平方向及び鉛直方向に回転させる端末の回転装置を制御し、端末は、端末に対する周辺の遠隔操作される各装置の空間角座標を、決定した空間角座標のセットごとに決定し、端末が送信した赤外線信号が当該空間角座標にある遠隔操作される装置に向くように、端末は決定した空間角座標に従って端末を回転させるよう回転装置を制御し、端末は、遠隔操作される装置とペアリングを確立するように、空間角座標にある遠隔操作される装置に赤外線信号を送信する。このように、端末は、周辺の複数の遠隔操作される装置とペアリングを自動的に確立する。
【図面の簡単な説明】
【００３８】
【図１ａ】本発明のある実施形態による携帯電話の概略構造図である。
【図１ｂ】本発明のある実施形態による、赤外線遠隔操作機能を有する端末の概略構造図である。
【図２】本発明のある実施形態による、赤外線遠隔操作機能を有する端末と回転装置との間を接続する接続関係の概略図である。
【図３】本発明のある実施形態による赤外線遠隔操作に関する第１のペアリング方法のフローチャートである。
【図４】本発明のある実施形態による赤外線遠隔操作に関する第２のペアリング方法のフローチャートである。
【図５】本発明の実施形態４による、赤外線遠隔操作機能を有する端末と遠隔操作される装置との間のペアリングに関する概略図である。
【図６】本発明の実施形態５による、赤外線遠隔操作機能を有する端末と遠隔操作される装置との間のペアリング方法に関するフローチャートである。
【発明を実施するための形態】
【００３９】
本発明の実施形態は、遠隔操作される装置とのペアリングを自動的に確立するための解決手段を提供して、インテリジェントな遠隔操作の間のペアリングプロセスについて自動化の程度を向上させるために、赤外線遠隔操作機能を有する端末と、赤外線遠隔操作に関するペアリング方法とを提供する。
【００４０】
まず、本発明の実施形態は、赤外線遠隔操作機能を有する第１の端末と、赤外線遠隔操作に関する第１のペアリング方法とを提供する。赤外線遠隔操作機能を有する第１の端末では、メモリが赤外線コードライブラリを格納するよう構成され、プロセッサがメモリに格納された赤外線コードライブラリから赤外線コードを選択するよう構成され、赤外線送信機がプロセッサにより選択された赤外線コードに従って赤外線信号を遠隔操作される装置に送信するよう構成され、赤外線送信機が赤外線信号を送信した後に、センサが、遠隔操作される装置が赤外線信号を受信した後に生じる遠隔操作される装置の状態変化を感知するよう構成される。プロセッサはさらに、センサが感知した遠隔操作される装置の状態変化に従って、端末が遠隔操作される装置とのペアリング確立に成功したかどうかを判定するよう構成される。
【００４１】
特定の遠隔操作される装置の場合、赤外線信号を遠隔操作される装置に送信した後に、端末は、端末のセンサを用いて遠隔操作される装置の状態変化を感知し、端末は、遠隔操作される装置の感知された状態変化に従って、端末が遠隔操作される装置とのペアリング確立に成功したかどうかを判定する。端末が遠隔操作される装置とペアリングを自動的に確立するための解決手段が提供され、インテリジェントな遠隔操作の間のペアリングプロセスについて自動化の程度が改善される。
【００４２】
さらに、ペアリングプロセスにおいて、端末は端末に対する遠隔操作される装置の空間角座標を決定し、端末が送信した赤外線信号が遠隔操作される装置に向くように、決定した空間角座標に従って端末を回転させるよう端末の回転装置を制御する。次に端末は、遠隔操作される装置とペアリングを確立するように、赤外線信号を遠隔操作される装置に送信する。端末は、端末を遠隔操作される装置の方向へ回転させるのに回転装置を用い、次に赤外線信号を送信する。これにより、ペアリングプロセスの自動化の程度がさらに向上する。
【００４３】
さらに、端末が端末に対する遠隔操作される装置の空間角座標を決定すると、端末は端末を回転させるよう回転装置を制御し、回転プロセスにおいて端末のセンサを用いて端末の場所を捜し出す。これによっても、ペアリングプロセスの自動化の程度がさらに向上する。
【００４４】
さらに、本発明の実施形態は、赤外線遠隔操作機能を有する第２の端末と、赤外線遠隔操作に関する第２のペアリング方法とを提供する。
【００４５】
赤外線遠隔操作機能を有する第２の端末は、プロセッサと、赤外線送信機と、回転装置とを含む。回転装置は、プロセッサの制御の下で、端末を水平方向及び鉛直方向に回転させるよう構成される。赤外線送信機は、プロセッサの制御の下で、赤外線信号を遠隔操作される装置に発するよう構成される。プロセッサは、端末を回転させるよう回転装置を制御するプロセスにおいて、端末周辺の遠隔操作される装置に関し、端末に対する遠隔操作される各装置の空間角座標を決定し、端末が送信した赤外線信号が当該空間角座標にある遠隔操作される装置に向くように、空間角座標に従って端末を回転させるよう、決定した空間角座標のセットごとに回転装置を制御し、端末が遠隔操作される装置とペアリングを確立するように、赤外線信号を遠隔操作される装置に送信すべく赤外線送信機を制御するよう構成される。
【００４６】
端末は、回転プロセスにおいて端末を水平方向及び鉛直方向に回転させるよう端末の回転装置を制御する。端末は、周辺の遠隔操作される各装置の端末に対する空間角座標を決定する。端末は、端末が送信した赤外線信号が当該空間角座標にある遠隔操作される装置に向くように、決定した空間角座標に従って端末を回転させるよう、決定した空間角座標のセットごとに回転装置を制御する。次に端末は、遠隔操作される装置とペアリングを確立するように、空間角座標にある遠隔操作される装置に赤外線信号を送信する。このように、端末は、周辺の複数の遠隔操作される装置とペアリングを自動的に確立する。
【００４７】
本発明の実施形態が、添付図面を参照して以下に詳細に説明される。まず、本発明の実施形態において提供される赤外線遠隔操作機能を有する第１の端末と赤外線遠隔操作機能を有する第２の端末とが説明され、次に、本発明の実施形態において提供される、赤外線遠隔操作に関する第１のペアリング方法と赤外線遠隔操作に関する第２のペアリング方法とが説明される。
【００４８】
赤外線遠隔操作に関する第１のペアリング方法と、赤外線遠隔操作機能を有する第１の端末とは、同じ創意を共有する。赤外線遠隔操作機能を有する第１の端末が説明された後、端末の自動ペアリング手法が詳細に説明される。赤外線遠隔操作に関する第１のペアリング方法の問題解決手法は、赤外線遠隔操作機能を有する第１の端末の問題解決手法と類似している。本方法の実装に関しては、赤外線遠隔操作機能を有する第１の端末を参照することが可能である。したがって、赤外線遠隔操作に関する第１のペアリング方法は簡潔に説明され、詳細は繰り返し説明されない。
【００４９】
赤外線遠隔操作に関する第２のペアリング方法と、赤外線遠隔操作機能を有する第２の端末とは、同じ創意を共有する。赤外線遠隔操作機能を有する第２の端末が説明された後、端末の自動ペアリング手法が詳細に説明される。赤外線遠隔操作に関する第２のペアリング方法の問題解決手法は、赤外線遠隔操作機能を有する第２の端末の問題解決手法と類似している。本方法の実装に関しては、赤外線遠隔操作機能を有する第２の端末を参照することが可能である。したがって、赤外線遠隔操作に関する第２のペアリング方法は簡潔に説明され、詳細は繰り返し説明されない。
【００５０】
本発明のある実施形態において提供される赤外線遠隔操作機能を有する端末の任意の構造を全般的に説明するのに、図１ａに示される携帯電話１００が例として以下に用いられる。
【００５１】
図１ａに示される携帯電話１００は、単に本発明のこの実施形態において提供される端末の例にすぎず、携帯電話１００は、図１ａに示される構成要素より多い又は少ない構成要素を有してよく、２つ又はそれより多くの構成要素を組み合わせてよく、あるいは異なる構成要素の構成を有してもよいことを理解されたい。図１ａに示される構成要素は、ハードウェア、ソフトウェア、又はハードウェア及びソフトウェアの組み合わせで実装されてよく、そこには１つ又は複数の信号処理回路及び／又は特定用途向け集積回路が含まれる。
【００５２】
図１ａに示されるように、携帯電話１００には、メモリ１００１、プロセッサ１００２、赤外線送信機１００３、センサ１００４、無線周波数（Ｒａｄｉｏ  Ｆｒｅｑｕｅｎｃｙ、ＲＦ）回路１００５、スピーカ１００７、及び入出力（Ｉｎｐｕｔ／Ｏｕｔｐｕｔ、Ｉ／Ｏ）サブシステム１００８が含まれる。Ｉ／Ｏサブシステム１００８には、入力ユニット１００９と表示ユニット１０１０とが含まれ、入力ユニット１００９にはタッチパネル１０１１と別の入力デバイス１０１２とが含まれる。任意で、本発明のこの実施形態において提供される任意の実装態様では、携帯電話１００は回転装置１００６をさらに含むことが可能である。
【００５３】
携帯電話１００は単に本発明のこの実施形態において提供される端末の例にすぎず、本発明のこの実施形態に関わる端末は、図１ａに示される構成要素より多い又は少ない構成要素を有してよく、２つ又はそれより多くの構成要素を組み合わせてよく、あるいは異なる構成要素の構成又は設定を有してもよいことに留意されたい。構成要素は、ハードウェア、ソフトウェア、又はハードウェア及びソフトウェアの組み合わせで実装されてよく、そこには１つ又は複数の信号処理回路及び／又は特定用途向け集積回路が含まれる。
【００５４】
本発明のこの実施形態において提供される端末には、携帯電話、タブレットコンピュータ、携帯情報端末（Ｐｅｒｓｏｎａｌ  Ｄｉｇｉｔａｌ  Ａｓｓｉｓｔａｎｔ、ＰＤＡ）、ＰＯＳ端末（Ｐｏｉｎｔ  ｏｆ  Ｓａｌｅｓ、ＰＯＳ）、車載コンピュータなどが含まれてもよい。
【００５５】
以下に、図１ａを参照して携帯電話１００の構成要素を具体的に説明する。
【００５６】
ＲＦ回路１００５は、情報受信プロセス及び情報送信プロセスの間に又は通話プロセスの間に、信号を受信及び送信するよう構成されることが可能である。具体的には、ＲＦ回路５１０は基地局からダウンリンク情報を受信し、次に処理するためにダウンリンク情報をプロセッサ１００２に送り、アップリンクデータを基地局に送信する。一般的にＲＦ回路は、限定されないが、アンテナ、少なくとも１つの増幅器、送受信機、カプラ、低雑音増幅器（Ｌｏｗ  Ｎｏｉｓｅ  Ａｍｐｌｉｆｉｅｒ、ＬＮＡ）、及びデュプレクサを含む。さらに、ＲＦ回路１００５は、無線通信を用いてネットワーク及び別の装置と通信することも可能である。無線通信はあらゆる通信規格又は通信プロトコルを用いることができ、それらには、限定されないが、移動体通信用グローバルシステム（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ（登録商標））、汎用パケット無線サービス（Ｇｅｎｅｒａｌ  Ｐａｃｋｅｔ  Ｒａｄｉｏ  Ｓｅｒｖｉｃｅ、ＧＰＲＳ）、符号分割多重接続（Ｃｏｄｅ  Ｄｉｖｉｓｉｏｎ  Ｍｕｌｔｉｐｌｅ  Ａｃｃｅｓｓ、ＣＤＭＡ）、広帯域符号分割多重接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ（登録商標））、ロングタームエボリューション（Ｌｏｎｇ  Ｔｅｒｍ  Ｅｖｏｌｕｔｉｏｎ、ＬＴＥ）、電子メール、ショートメッセージングサービス（Ｓｈｏｒｔ  Ｍｅｓｓａｇｉｎｇ  Ｓｅｒｖｉｃｅ、ＳＭＳ）などが含まれる。
【００５７】
メモリ１００１は、ソフトウェアプログラム及びモジュールを格納するよう構成されることが可能である。プロセッサ１００２は、メモリ１００１に格納されたソフトウェアプログラム及びモジュールを実行して、携帯電話１００の様々な機能アプリケーション及びデータ処理を実装する。メモリ１００１は主に、プログラム記憶領域とデータ記憶領域とを含むことが可能である。プログラム記憶領域は、オペレーティングシステム、ある機能（例えば、音再生機能及び画像表示機能）に必要な少なくとも１つのアプリケーションプログラムなどを格納することが可能である。データ記憶領域は、携帯電話１００の使用法に従って作成されたデータ（例えば、オーディオデータ及び電話帳）などを格納することが可能であり、本発明のこの実施形態では、赤外線コードライブラリ、遠隔操作される装置の外観特性値、遠隔操作される装置の外観特性値と遠隔操作される装置のタイプ及び／又はモデルとの間の対応関係、カメラが撮影した物体の写真、携帯電話１００に対する遠隔操作される装置の空間角座標などを格納するよう構成されることが可能である。さらに、メモリ１００１は、高速ランダムアクセスメモリを含むことができ、少なくとも１つの磁気ディスクストレージ装置、フラッシュメモリなどの不揮発性メモリ、又は別の揮発性固体ストレージ装置も含むことができる。
【００５８】
入力ユニット１００９は、入力された数字情報又は文字情報を受信し、携帯電話１００のユーザ設定及び機能制御に関連したキーボード信号入力を生成するよう構成されることが可能である。具体的には、入力ユニット１００９は、タッチパネル１０１１と別の入力デバイス１０１２とを含むことが可能である。タッチパネル１０１１は、タッチスクリーンとも呼ばれ、タッチパネル１０１１上又はその近傍でのユーザのタッチ操作（指又はスタイラスなどの任意の適切な物体又は付属品の使用による、タッチパネル１０１１上又はタッチパネル１０１１の近傍でのユーザの操作など）を収集し、予め設定したプログラムに従って対応する接続装置を駆動することが可能である。任意で、タッチパネル１０１１は、タッチ検出装置及びタッチコントローラという２つの部分を含んでもよい。タッチ検出装置は、ユーザのタッチ位置を検出し、タッチ操作により生成された信号を検出し、信号をタッチコントローラに転送する。タッチコントローラは、タッチ検出装置からタッチ情報を受信し、タッチ情報をタッチポイント座標に変換した後、タッチポイント座標をプロセッサ１００２に送信する。さらに、タッチコントローラは、プロセッサ１００２から送信されたコマンドを受信し、そのコマンドを実行することができる。さらに、タッチパネル１０１１は、抵抗膜方式、静電容量方式、赤外線方式、又は表面弾性波方式のタッチパネルであってよい。タッチパネル１０１１のほかに、入力ユニット１００９は別の入力デバイス１０１２をさらに含んでもよい。具体的には、別の入力デバイス１０１２は、限定されないが、物理キーボード、ファンクショナルキー（音量調節キー又はスイッチキーなど）、トラックボール、マウス、又はジョイスティックのうち１つ又は複数を含むことが可能である。
【００５９】
表示ユニット１０１０は、ユーザが入力した情報又はユーザに提供される情報、及び携帯電話１００の様々なメニューを表示するよう構成されることが可能である。表示ユニット１０１０は、表示パネル１０１３を含んでもよい。任意で、表示パネル１０１３は、液晶ディスプレイ（Ｌｉｑｕｉｄ  Ｃｒｙｓｔａｌ  Ｄｉｓｐｌａｙ、ＬＣＤ）、又は有機発光ダイオード（Ｏｒｇａｎｉｃ  Ｌｉｇｈｔ−Ｅｍｉｔｔｉｎｇ  Ｄｉｏｄｅ、ＯＬＥＤ）などを用いて構成されてもよい。さらに、タッチパネル１０１１は表示パネル１０１３を包含することが可能である。タッチパネル１０１１上又はその近傍でのタッチ操作を検出した後に、タッチパネル１０１１は、タッチイベントの種類を判定するために、タッチ操作をプロセッサ１００２に転送する。次にプロセッサ１００２は、タッチイベントの種類に従って、対応する視覚出力を表示パネル１０１３上に提供する。図１ａには、タッチパネル１０１１及び表示パネル１０１３が、携帯電話１００の入出力機能を実装する２つの別個の構成要素として用いられているが、実施形態によっては、タッチパネル１０１１及び表示パネル１０１３は統合されて、携帯電話１００の入出力機能を実装してもよい。
【００６０】
センサ１００４は、カメラと、マイクと、光学センサと、モーションセンサと、別のセンサとを含むことが可能である。本発明のこの実施形態では、カメラは画像センサとみなされ、携帯電話１００周辺の装置の画像を取得し、取得した画像は、携帯電話周辺の遠隔操作される装置の状態変化を認識するのに用いられる。本発明のこの実施形態では、マイクは音センサとみなされ、携帯電話１００周辺の音を取得し、取得した音に従って遠隔操作される装置の状態変化が認識される。本発明のこの実施形態では、携帯電話１００周辺の遠隔操作される装置の状態変化は、光学センサを用いて感知されてもよい。例えば、携帯電話１００が「電源投入」の赤外線信号を遠隔操作されるテレビに送信した後、光学センサは、テレビ画面の明度変化を感知し、携帯電話１００が送信した赤外線信号にテレビが反応したかどうかを判定することが可能である。また、光学センサはさらに、周辺光の明るさに従って表示パネル１０１３の明るさを調整することが可能である。携帯電話１００を耳の近くに移動させると、近接センサが表示パネル１０１３及び／又はバックライトの電源を切ることが可能である。モーションセンサの一種である加速度センサが、様々な方向の加速度の大きさを（一般的には３軸で）検出することができ、静止している場合には、重力の大きさ及び方向を検出することができ、携帯電話の姿勢を認識するアプリケーション（例えば、横方向と縦方向との間の切り替え、関連ゲーム、磁力計の姿勢キャリブレーション）、振動認識に関連した機能（歩数計及びノック計など）などに適用することができる。ジャイロスコープ、気圧計、湿度計、温度計、赤外線センサなどの他のセンサが、携帯電話１００内に構成されてよいが、それらは本明細書ではさらに説明されない。
【００６１】
赤外線送信機１００３は赤外線エミッタを含み、赤外線エミッタを用いて特定の範囲内に赤外線を発し、遠隔操作される装置を制御する。赤外線エミッタは発光ダイオード（Ｌｉｇｈｔ  Ｅｍｉｔｔｉｎｇ  Ｄｉｏｄｅ、ＬＥＤ）であり、遠隔操作技術の分野では通常、赤外線ＬＥＤが光送信装置として用いられる。
【００６２】
プロセッサ１００２は携帯電話１００のコントロールセンターであり、様々なインタフェース及び配線を用いて、携帯電話の様々なパーツに接続される。メモリ１００１に格納されたソフトウェアプログラム及び／又はモジュールを起動又は実行し、且つメモリ１００１に格納されたデータを呼び出すことで、プロセッサ１００２は、携帯電話１００の様々な機能及びデータ処理を実行し、それによって携帯電話による全体的な監視を実行する。任意で、プロセッサ１００２は１つ又は複数の処理ユニットを含んでもよい。好ましくは、アプリケーションプロセッサ及びモデムプロセッサがプロセッサ１００２に統合されてもよい。アプリケーションプロセッサは主に、オペレーティングシステム、ユーザインタフェース、アプリケーションプログラムなどを処理する。モデムプロセッサは主に無線通信を処理する。上述のモデムプロセッサはプロセッサ１００２に統合されなくてもよいことが理解され得る。
【００６３】
プロセッサ１００２の制御の下で、回転装置１００６は携帯電話１００を水平方向及び鉛直方向に回転させる。
【００６４】
示されてはいないが、携帯電話１００はさらに、Ｂｌｕｅｔｏｏｔｈ（登録商標）モジュール、全地球測位システム（Ｇｌｏｂａｌ  Ｐｏｓｉｔｉｏｎｉｎｇ  Ｓｙｓｔｅｍ、ＧＰＳ）などを含むことができ、詳細は本明細書では説明されない。
【００６５】
以下に、本発明のある実施形態において提供される赤外線遠隔操作機能を有する第１の端末１０を詳細に説明する。簡易的な例示として、図１ｂに示される概略構造図を参照されたい。図１ａに示される携帯電話１００は、図１ｂに示される端末の任意の実装態様とみなされ得る。
【００６６】
図１ｂを参照すると、端末１０は、赤外線コードライブラリを格納するよう構成されたメモリ１００１と、メモリ１００１に格納された赤外線コードライブラリから赤外線コードを選択するよう構成されたプロセッサ１００２と、プロセッサ１００２が選択した赤外線コードに従って、赤外線信号を遠隔操作される装置２０に送信するよう構成された赤外線送信機１００３と、赤外線送信機１００３が赤外線信号を送信した後に、遠隔操作される装置２０が赤外線信号を受信後に生じる遠隔操作される装置２０の状態変化を感知するよう構成されたセンサ１００４とを含む。プロセッサ１００２はさらに、センサ１００４が感知した遠隔操作される装置２０の状態変化に従って、端末１０が遠隔操作される装置２０とのペアリング確立に成功したかどうかを判定するよう構成される。
【００６７】
プロセッサ１００２、メモリ１００１、赤外線送信機１００３、及びセンサ１００４は、図１ｂに示されるように接続されてよく、ここでメモリ１００１、赤外線送信機１００３、及びセンサ１００４は全てプロセッサ１００２に接続される。あるいはバスを用いて接続されてもよく、ここで、プロセッサ１００２、メモリ１００１、赤外線送信機１００３、及びセンサ１００４は全てバスに接続され、これらの間の信号及びデータはバスを用いて送信される。
【００６８】
メモリ１００１に格納された赤外線コードライブラリには複数の赤外線コードが含まれてよく、複数の赤外線コードはそれぞれ、赤外線方式で遠隔操作され得る複数の装置を遠隔操作するのに用いられる。任意で、プロセッサ１００２は、遠隔操作される装置２０のタイプ及び／又はモデルに従って、赤外線コードライブラリから、遠隔操作される装置２０を遠隔操作するのに用いられる赤外線コードを選択してもよい。あるいは、プロセッサ１００２は赤外線コードライブラリ内の赤外線コードをトラバースしてもよく、ある赤外線コードに従って赤外線送信機１００３が赤外線信号を送信した後に、プロセッサ１００２が、センサ１００４が感知した遠隔操作される装置２０の状態変化に従って、端末１０が遠隔操作される装置２０とのペアリング確立に成功したと判定した場合、プロセッサ１００２は、当該赤外線コードが遠隔操作される装置２０用の赤外線コードであると判定する。遠隔操作される装置２０を遠隔操作するのに、ユーザが端末１０を引き続き用いる場合、プロセッサ１００２は、決定した赤外線コードを赤外線コードライブラリから選択し、決定した赤外線コードに従って赤外線信号を遠隔操作される装置２０に送信して遠隔操作される装置２０を遠隔操作するよう赤外線送信機１００３を制御することが可能である。
【００６９】
あるいは、間違った決定を行う確率を減らすために、センサ１００４が感知した遠隔操作される装置２０の状態変化に従って、端末１０が遠隔操作される装置２０とのペアリング確立に成功したと判定した後に、プロセッサ１００２は、決定した赤外線コードに従って、別の命令を遠隔操作される装置２０に送信するよう赤外線送信機１００３を制御することができ、センサ１００４が感知した遠隔操作される装置２０の状態変化に従って、端末１０が遠隔操作される装置２０とのペアリング確立に成功したと再度判定した後にのみ、プロセッサ１００２は当該赤外線コードが遠隔操作される装置２０用の赤外線コードであると判定する。
【００７０】
赤外線信号を送信する場合、赤外線送信機１００３は、メモリ１００１に格納された赤外線コードライブラリから選択された赤外線コードに従って、赤外線信号を符号化し、符号化した赤外線信号を遠隔操作される装置２０に送信することが可能である。
【００７１】
例えば、赤外線送信機は通常、赤外線エミッタに加えて、符号化集積回路及び駆動トランジスタをさらに含む。符号化集積回路は、プロセッサ１００２が選択した赤外線コードに従って符号化を実行し、連続したパルスを生成する。当該パルスは駆動トランジスタにより駆動され、赤外線エミッタにより発せられる。
【００７２】
赤外線送信機１００３が、プロセッサ１００２が選択した赤外線コードに従って、赤外線信号を遠隔操作される装置２０に送信した後に、プロセッサ１００２は、センサ１００４が感知した遠隔操作される装置２０の状態変化に従って、端末１０が遠隔操作される装置２０とのペアリング確立に成功したかどうかを判定する。
【００７３】
具体的には、プロセッサ１００２は、センサ１００４が送信した動作感知情報を受信する。動作感知情報は、遠隔操作される装置２０が赤外線信号を受信した後に生じる遠隔操作される装置２０の感知された状態変化によって、センサ１００４により取得される情報である。
【００７４】
プロセッサ１００２は、動作感知情報に従って、遠隔操作される装置２０の状態変化を判定し、判定した遠隔操作される装置２０の状態変化が、赤外線信号により示される動作と一致する場合、プロセッサ１００２は、端末１０が遠隔操作される装置２０とのペアリング確立に成功したと判定する。あるいは、判定した遠隔操作される装置２０の状態変化が、赤外線信号により示される動作と一致しない場合、プロセッサ１００２は、端末１０が遠隔操作される装置２０とのペアリング確立に失敗したと判定する。センサ１００４は、カメラ及び／又は音センサ（例えば、マイク）を含んでよい。
【００７５】
センサ１００４が遠隔操作される装置２０の動作を感知し、プロセッサ１００２が、センサ１００４が感知した遠隔操作される装置２０の状態変化に従って、端末１０が遠隔操作される装置２０とのペアリング確立に成功したかどうかを判定する例に関しては、以下の実施形態１、実施形態２、及び実施形態３を参照することができる。
【００７６】
任意で、図１ｂに示されるように、端末１０はさらに回転装置１００６を含み、プロセッサ１００２の制御の下で、回転装置１００６は端末１０を水平方向及び鉛直方向に回転させる。回転装置１００６は端末１０から取り外すことが可能である、又は端末１０は納品前に端末１０に固定して取り付けられている。
【００７７】
図２では、端末１０は、矢印で示される方向に沿ってホルダ３００３に挿入されてはめ込まれることが可能であり、ホルダ３００３を用いて回転装置１００６に固定される。回転装置１００６には、ベース３００１、回転台３００２、ホルダ３００３、第１の回転軸ｘ、及び第２の回転軸ｙが含まれ、第１の回転軸ｘ及び第２の回転軸ｙは互いに直交する。
【００７８】
第１の回転軸ｘは、凹形回転台３００２の２つの側面の突出部に取り付けられ、回転台３００２の凹部は、ホルダ３００３の下部を収容するよう構成される。第１の回転軸ｘは、ホルダ３００３に接続され、ホルダ３００３を水平方向に固定し、第１の回転軸ｘを中心としてホルダ３００３を回転させることができ、端末１０がホルダ３００３に設置されると、端末１０のピッチ角を変えるよう構成される。
【００７９】
回転台３００２は、第２の回転軸ｙを用いてベース３００１に取り付けられる。第２の回転軸ｙは、第２の回転軸ｙを中心として水平方向に回転台３００２を回転させることができる。
【００８０】
ホルダ３００３の制御インタフェースを用いて、端末１０は、第１の回転軸ｘを回転させるよう制御するための命令を第１の回転軸ｘに送信し、第２の回転軸ｙを回転させるよう制御するための命令を第２の回転軸ｙに送信することが可能である。端末１０は、これらの命令を用いて、第１の回転軸ｘ及び第２の回転軸ｙの回転速度と回転角とを制御することが可能である。
【００８１】
図２に示される、回転装置１００６が端末１０を回転させる接続関係及び方法は単に例示的なものにすぎず、実際には、端末１０を水平方向及び鉛直方向に回転させ得るあらゆる解決手段が本発明に適用可能であることに留意されたい。
【００８２】
任意で、プロセッサ１００２はさらに、赤外線送信機１００３が赤外線信号を遠隔操作される装置２０に発する前に、端末１０に対する遠隔操作される装置２０の空間角座標（φ、α）を決定するよう構成される。φはピッチ角、すなわち遠隔操作される装置２０と端末１０とを接続するラインと、水平面との間の挟角である。αは水平角、すなわち遠隔操作される装置２０と端末１０とを接続するラインと、水平角が０°となる予め設定した鉛直面との間の挟角である。特定の実装に従って、φの値及びαの値を決定することが可能であり、例えば、φの値は−３０°以上、８０°以下の範囲、αの値は−１８０°以上、１８０°未満の範囲である。
【００８３】
端末１０に対する遠隔操作される装置２０の空間角座標は、端末１０内のジャイロスコープを用いて決定することが可能であり、ジャイロスコープはセンサであって、端末の位置を感知するよう構成されることが可能である。
【００８４】
プロセッサ１００２は、端末１０が送信した赤外線信号が遠隔操作される装置に向くように、端末１０を回転させるよう回転装置１００６を制御する。すなわち、端末１０と遠隔操作される装置２０とを接続するラインと水平面との間の挟角がφとなり、端末１０と遠隔操作される装置２０とを接続するラインと、水平角が０°の予め設定した鉛直面との間の挟角がαとなった後に、プロセッサ１００２は、プロセッサ１００２が選択した赤外線コードに従って、赤外線信号を遠隔操作される装置に送信するよう赤外線送信機１００３を制御する。
【００８５】
さらに、センサ１００４はカメラを含み、プロセッサ１００２は特に、端末１０に対する遠隔操作される装置２０の空間角座標を以下の方法で決定することが可能である。
【００８６】
まず、カメラは、回転装置１００６が端末１０を回転させるプロセスにおいて、予め設定した時間間隔ごとに、予め設定した水平角及び鉛直角ごとに、又は複数の予め設定した空間角で別々に写真を撮影するよう制御される。
【００８７】
次に、カメラが撮影した各写真に対応して、写真が撮影された際の端末１０のピッチ角及び水平角が記録される。任意で、写真のピッチ角及び水平角、並びにピッチ角及び水平角と写真との間の対応関係は、プロセッサ１００２のキャッシュに記録されても、メモリ１００１に記録されてもよい。
【００８８】
次に、遠隔操作される装置２０の写真が、カメラが撮影した写真から判定され、遠隔操作される装置２０が中心に存在する写真が、判定された遠隔操作される装置２０の写真から判定される。
【００８９】
任意で、遠隔操作される装置２０が中心に存在する写真は、以下の画像中心優先アルゴリズムを用いて、遠隔操作される装置２０の写真から判定されることが可能である。
【００９０】
画像中心優先アルゴリズムは、同じ遠隔操作される装置２０を含む写真群から、遠隔操作される装置２０が中心に存在する写真を見つけることを目指している。具体的には、遠隔操作される装置２０のエッジがコントラスト間の差異によって見出されることができ、写真の中の遠隔操作される装置２０の運動傾向が、複数の連続写真の中の遠隔操作される装置２０のエッジを比較することで判定され、遠隔操作される装置２０の運動傾向が、ある写真で逆になる場合、当該写真が、遠隔操作される装置２０が中心に存在する写真であることが決定される。
【００９１】
最終的に、遠隔操作される装置が中心に存在する写真に対応する記録した端末のピッチ角及び水平角が、端末１０に対する遠隔操作される装置２０の空間角座標として用いられる。
【００９２】
さらに、メモリ１００１は、遠隔操作される装置２０の外観特性値を格納するようさらに構成されることが可能である。
【００９３】
メモリ１００１に格納された遠隔操作される装置２０の外観特性値は、事前学習を用いて端末１０により取得されることが可能である。センサ１００４として働くカメラは、遠隔操作される装置２０、又は遠隔操作される装置２０と同じタイプ及びモデルの、赤外線方式で遠隔操作され得る別の装置を予め撮影してよく、プロセッサ１００２は、カメラが撮影した写真の中の物体の外観特性値を抽出し、抽出した特性値を遠隔操作される装置２０の外観特性値として用い、外観特性値をメモリ１００１に格納する。
【００９４】
プロセッサ１００２は、カメラが撮影した各写真内の撮影された物体の外観特性値を抽出し、抽出した外観特性値を端末に格納された遠隔操作される装置２０の外観特性値と比較し、撮影された物体の外観特性値が格納された遠隔操作される装置２０の外観特性値と一致する写真を、遠隔操作される装置２０の写真として用いることが可能である。
【００９５】
また、プロセッサ１００２はさらに、抽出した遠隔操作される装置２０の特性値に従って、遠隔操作される装置２０のタイプ及び／又はモデルを判定することが可能である。例えば、メモリ１００１は、特性値とタイプ又はモデルとの間の対応関係を予め格納し、プロセッサ１００２は、メモリ１００１に予め格納した特性値とタイプ又はモデルとの間の対応関係を照会することで、遠隔操作される装置２０のタイプ及び／又はモデルを判定することが可能である。
【００９６】
任意で、撮影された物体の外観特性値が、格納された遠隔操作される装置２０の外観特性値と同じとなる写真が、遠隔操作される装置２０の写真として用いられてもよい。
【００９７】
あるいは、写真内の撮影された物体の外観特性値と、格納された遠隔操作される装置２０の外観特性値との間の絶対差が予め設定した特性値差の閾値より小さい写真が、遠隔操作される装置２０の写真として用いられてもよい。
【００９８】
上述のことは、本発明のある実施形態において提供される赤外線遠隔操作機能を有する第１の端末の説明である。端末は、特定の遠隔操作される装置とペアリングを自動的に確立することができる。以下に、本発明のある実施形態において提供される赤外線遠隔操作機能を有する第２の端末を説明する。端末は、周辺の遠隔操作される各装置とペアリングを自動的に確立することができる。
【００９９】
本発明のこの実施形態において提供される赤外線遠隔操作機能を有する第２の端末も、図１ｂに示されることができる。図１ａに示される携帯電話１００は、本発明のこの実施形態において提供される赤外線遠隔操作機能を有する第２の端末の任意の実装態様とみなされてもよい。
【０１００】
図１ｂを参照すると、端末１０は、プロセッサ１００２と、赤外線送信機１００３と、回転装置１００６とを含む。
【０１０１】
回転装置１００６は、プロセッサ１００２の制御の下で、端末１０を水平方向及び鉛直方向に回転させるよう構成される。
【０１０２】
赤外線送信機１００３は、プロセッサ１００２の制御の下で、赤外線信号を遠隔操作される装置２０に発するよう構成される。
【０１０３】
プロセッサ１００２は、端末１０を回転させるよう回転装置１００６を制御するプロセスにおいて、端末１０周辺の遠隔操作される装置２０に関し、端末１０に対する遠隔操作される各装置２０の空間角座標を決定し、端末１０が送信した赤外線信号が当該空間角座標にある遠隔操作される装置に向くように、空間角座標に従って端末１０を回転させるよう、決定した空間角座標のセットごとに回転装置１００６を制御し、端末１０が遠隔操作される装置２０とペアリングを確立するように、空間角座標にある遠隔操作される装置２０に赤外線信号を送信すべく赤外線送信機１００３を制御するよう構成される。
【０１０４】
端末１０の周辺の遠隔操作される各装置２０は、端末１０の赤外線送信機１００３により送信される赤外線信号でスキャンされ得る遠隔操作される装置２０を指し、例えば、部屋の中で赤外線方式で遠隔操作され得る全ての装置のことである。
【０１０５】
本発明の上述の実施形態において提供される赤外線遠隔操作機能を有する第１の端末と比較すると、赤外線遠隔操作機能を有する第２の端末は、周辺の遠隔操作される各装置２０とペアリングを確立することができる。したがって、特定の適用の間、赤外線遠隔操作機能を有する第２の端末では、端末１０の周辺に複数の遠隔操作される装置２０が存在してもよい。
【０１０６】
回転装置１００６が端末１０を回転させるプロセスにおいて、端末１０が周辺の遠隔操作される各装置２０とペアリングを確立するように、プロセッサ１００２は端末１０の周辺の遠隔操作される各装置２０の場所を捜し出す。
【０１０７】
端末１０と回転装置１００６との間の接続関係については、図２に示される端末１０と回転装置１００６との間の接続関係を参照してもよい。回転装置１００６の構造及び構成については、図２の回転装置１００６を参照してもよい。詳細は繰り返し説明しない。
【０１０８】
プロセッサ１００２は特に、センサ１００４として働くカメラを、回転装置１００６が端末１０を回転させるプロセスにおいて、予め設定した時間間隔ごとに、予め設定した水平角及び鉛直角ごとに、又は複数の予め設定した空間角で別々に写真を撮影するよう制御し、カメラが撮影した各写真に対応して、写真を撮影した際の端末１０のピッチ角及び水平角を記録し、ここで端末１０のピッチ角及び水平角はプロセッサ１００２のキャッシュ又は端末１０のメモリ１００１に任意で格納されてもよく、カメラが撮影した写真から遠隔操作される各装置２０の写真を判定し、遠隔操作される装置２０ごとに、遠隔操作される装置２０が中心に存在する写真を遠隔操作される装置２０の写真から判定するよう構成される。
【０１０９】
プロセッサ１００２が、遠隔操作される装置２０の写真から、遠隔操作される装置２０が中心に存在する写真を選択するための方法に関しては、本発明の上述の実施形態において提供される赤外線遠隔操作機能を有する第１の端末１０において、プロセッサ１００２が、遠隔操作される装置２０の写真から、遠隔操作される装置２０が中心に存在する写真を選択するための方法を参照してもよい。詳細はここで繰り返し説明しない。
【０１１０】
次に、遠隔操作される装置ごとに、プロセッサ１００２は、遠隔操作される装置２０が中心に存在する写真に対応する記録した端末のピッチ角及び水平角を、端末１０に対する遠隔操作される装置２０の空間角座標として用いる。
【０１１１】
任意で、メモリ１００１はさらに、赤外線方式で遠隔操作され得る装置の外観特性値を格納することが可能であり、カメラが撮影した写真ごとに、プロセッサ１００２は、写真内の撮影された物体の外観特性値を抽出し、抽出した写真内の撮影された物体の外観特性値を、メモリ１００１に格納された、赤外線方式で遠隔操作され得る装置の外観特性値と比較し、撮影された物体の外観特性値が撮影された物体の格納された外観特性値と一致する写真を、遠隔操作される装置２０の写真として用いることが可能である。
【０１１２】
メモリ１００１に格納された、赤外線方式で遠隔操作され得る装置の外観特性値は、本発明の上述の実施形態において提供される赤外線遠隔操作機能を有する第１の端末での学習方法と同じ学習方法を用いることで取得されることが可能であり、詳細は繰り返し説明しない。
【０１１３】
任意で、撮影された物体の外観特性値が撮影された物体の格納された外観特性値と一致する写真を、遠隔操作される装置２０の写真として用いた後、遠隔操作される装置２０とペアリングを確立するように、空間角座標にある遠隔操作される装置２０に赤外線信号を送信するよう、決定した空間角座標のセットごとに赤外線送信機１００３を制御する前に、プロセッサ１００２は、撮影された物体の外観特性値が撮影された物体の格納された外観特性値と一致する写真内の撮影された物体の外観特性値に従って、写真の中の遠隔操作される装置のタイプを判定する。任意で、メモリ１００１はさらに赤外線コードライブラリを格納し、プロセッサ１００２は、空間角座標にある遠隔操作される装置２０のタイプに従って（遠隔操作される装置２０を決定するための方法に関しては、本発明の上述の実施形態において提供される赤外線遠隔操作機能を有する第１の端末を参照してもよく、詳細はここで再度説明されない）、メモリ１００１に格納された赤外線コードライブラリから赤外線コードを、決定した空間角座標のセットごとに選択し、端末１０が遠隔操作される装置２０とペアリングを確立するように、選択した赤外線コードに従って、赤外線信号を遠隔操作される装置２０に送信するよう赤外線送信機１００３を制御してもよい。任意で、センサ１００４として働くカメラに加えて、端末１０はさらに別のセンサ（例えば、音センサ）を含む、又は別のセンサに接続され、当該センサは端末１０周辺の物体の状態変化を感知するよう構成される。空間角座標にある遠隔操作される装置２０に赤外線信号を送信するよう、決定した空間角座標のセットごとに赤外線送信機１００３を制御した後に、プロセッサ１００２は、遠隔操作される装置２０が赤外線信号を受信した後に生じる遠隔操作される装置２０の状態変化を感知するようセンサを制御し、センサが感知した遠隔操作される装置２０の状態変化に従って、端末１０が遠隔操作される装置２０とのペアリング確立に成功したかどうかを判定する。
【０１１４】
あるいは、プロセッサ１００２は赤外線コードライブラリ内の赤外線コードをトラバースしてもよく、ある赤外線コードに従って赤外線送信機１００３が赤外線信号を送信した後に、プロセッサ１００２が、センサ１００４が感知した遠隔操作される装置２０の状態変化に従って、端末１０が遠隔操作される装置２０とのペアリング確立に成功したと判定した場合、プロセッサ１００２は、当該赤外線コードが遠隔操作される装置２０用の赤外線コードであると判定する。遠隔操作される装置２０を遠隔操作するのに、ユーザが端末１０を引き続き用いる場合、プロセッサ１００２は、決定した赤外線コードを赤外線コードライブラリから選択し、決定した赤外線コードに従って赤外線信号を遠隔操作される装置２０に送信して遠隔操作される装置２０を遠隔操作するよう赤外線送信機１００３を制御することが可能である。
【０１１５】
あるいは、間違った決定を行う確率を減らすために、センサが感知した遠隔操作される装置２０の動作に従って、端末１０が遠隔操作される装置２０とのペアリング確立に成功したと判定した後に、プロセッサ１００２は、決定した赤外線コードに従って、別の命令を遠隔操作される装置２０に送信するよう赤外線送信機１００３を制御することができ、センサが感知した遠隔操作される装置２０の状態変化に従って、端末１０が遠隔操作される装置２０とのペアリング確立に成功したと再度判定した後にのみ、プロセッサ１００２は当該赤外線コードが遠隔操作される装置２０用の赤外線コードであると判定する。
【０１１６】
任意で、プロセッサ１００２は、センサ１００４により送信される動作感知情報を受信してもよく、動作感知情報は、遠隔操作される装置２０が赤外線信号を受信した後に生じる遠隔操作される装置２０の感知された状態変化によって、センサ１００４により取得される情報であり、プロセッサ１００２は、動作感知情報に従って遠隔操作される装置２０の状態変化を判定してもよく、判定した遠隔操作される装置２０の状態変化が、赤外線信号により示される動作と一致する場合には、プロセッサ１００２は、端末１０が遠隔操作される装置２０とのペアリング確立に成功したと判定し、又は判定した遠隔操作される装置２０の状態変化が、赤外線信号により示される動作と一致しない場合には、プロセッサ１００２は、端末１０が遠隔操作される装置２０とのペアリング確立に失敗したと判定する。
【０１１７】
センサ１００４が遠隔操作される装置２０の動作を感知し、プロセッサ１００２が、センサ１００４が感知した遠隔操作される装置２０の状態変化に従って、端末１０が遠隔操作される装置２０とのペアリング確立に成功したかどうかを判定する例に関しては、以下の実施形態１、実施形態２、及び実施形態３を参照することができる。
【０１１８】
本発明のこの実施形態において提供される赤外線遠隔操作機能を有する第２の端末では、赤外線送信機１００３、回転装置１００６、及びプロセッサ１００２が、図１ｂに示される直接接続の方式で接続されてもよい。あるいはバスを用いて接続されてもよく、その場合、プロセッサ１００２、回転装置１００６、及び赤外線送信機１００３は全てバスに接続され、これらの間の信号及びデータはバスを用いて送信される。
【０１１９】
同様に、メモリ１００１、センサ１００４、及びプロセッサ１００２は、直接接続の方式で接続されてもよい。あるいはバスを用いて接続されてもよく、その場合、プロセッサ１００２、メモリ１００１、及びセンサ１００４は全てバスに接続され、これらの間の信号及びデータはバスを用いて送信される。
【０１２０】
上述のことは、本発明の実施形態において提供される、赤外線遠隔操作機能を有する第１の端末、及び赤外線遠隔操作機能を有する第２の端末の説明である。以下に、本発明の実施形態において提供される、赤外線遠隔操作に関する第１のペアリング方法と、赤外線遠隔操作に関する第２のペアリング方法とを説明する。本発明の実施形態において提供される、赤外線遠隔操作に関する第１のペアリング方法と、赤外線遠隔操作機能を有する第１の端末とは同じ創意を共有し、本方法の実装に関しては、赤外線遠隔操作機能を有する第１の端末の実装を参照してもよい。本発明の実施形態において提供される、赤外線遠隔操作に関する第２のペアリング方法と、赤外線遠隔操作機能を有する第２の端末とは同じ創意を共有し、本方法の実装に関しては、赤外線遠隔操作機能を有する第２の端末を参照してもよい。詳細は繰り返し説明しない。
【０１２１】
図３は、本発明のある実施形態による赤外線遠隔操作に関する第１のペアリング方法のフローチャートである。図３に示されるように、本方法は以下の段階を含む。
【０１２２】
Ｓ３０１：端末が、端末に格納された赤外線コードライブラリから赤外線コードを選択する。
【０１２３】
Ｓ３０２：端末は、選択した赤外線コードに従って、赤外線信号を遠隔操作される装置に送信する。
【０１２４】
Ｓ３０３：端末は、端末のセンサを用いて、遠隔操作される装置が赤外線信号を受信した後に生じる遠隔操作される装置の状態変化を感知する。
【０１２５】
Ｓ３０４：端末は、センサが感知した遠隔操作される装置の状態変化に従って、端末が遠隔操作される装置とのペアリング確立に成功したかどうかを判定する。
【０１２６】
任意で、端末は、端末を水平方向及び鉛直方向に回転させるよう構成された回転装置を含む。端末に格納された赤外線コードライブラリから遠隔操作される装置用の赤外線コードを端末が選択する段階の前に、本方法はさらに、端末に対する遠隔操作される装置の空間角座標を端末が決定する段階を含み、選択した赤外線コードに従って端末が遠隔操作される装置に赤外線信号を送信する段階は、端末が送信した赤外線信号が遠隔操作される装置に向くように、決定した空間角座標に従って端末を回転させるよう回転装置を端末が制御する段階を含む。
【０１２７】
任意で、端末に対する遠隔操作される装置の空間角座標を端末が決定する段階は、端末を水平方向及び鉛直方向に回転させるよう端末が回転装置を制御して、回転プロセスの予め設定した時間間隔ごとに、予め設定した水平角及び鉛直角ごとに、又は複数の予め設定した空間角で別々に写真を撮影し、撮影した写真ごとに、写真を撮影した際の端末のピッチ角及び水平角を記録する段階と、端末が、撮影した写真から遠隔操作される装置の写真を判定し、判定した遠隔操作される装置の写真から遠隔操作される装置が中心に存在する写真を判定する段階と、遠隔操作される装置が中心に存在する写真に対応する端末の記録したピッチ角及び水平角を、端末に対する遠隔操作される装置の空間角座標として端末が用いる段階とを含む。
【０１２８】
任意で、撮影した写真から遠隔操作される装置の写真を端末が判定する段階は、撮影した各写真の中の撮影された物体の外観特性値を端末が抽出し、抽出した外観特性値を端末に格納された遠隔操作される装置の外観特性値と比較し、撮影された物体の外観特性値が格納された遠隔操作される装置の外観特性値と一致する写真を、遠隔操作される装置の写真として用いる段階を含む。
【０１２９】
任意で、遠隔操作される装置の感知された状態変化に従って、端末が遠隔操作される装置とのペアリング確立に成功したかどうかを端末が判定する段階は、動作感知情報に従って遠隔操作される装置の状態変化を端末が判定する段階であって、動作感知情報は、遠隔操作される装置が赤外線信号を受信した後に生じる遠隔操作される装置の感知された状態変化によって、センサにより取得される情報である、段階と、判定した遠隔操作される装置の状態変化が赤外線信号により示される動作と一致する場合には、端末が遠隔操作される装置とのペアリング確立に成功したと端末が判定する段階、又は判定した遠隔操作される装置の状態変化が赤外線信号により示される動作と一致しない場合には、端末が遠隔操作される装置とのペアリング確立に失敗したと端末が判定する段階を含む。任意で、センサは音センサ及び／又はカメラを含む。
【０１３０】
図４は、本発明のある実施形態による赤外線遠隔操作に関する第２のペアリング方法のフローチャートである。この方法では、赤外線遠隔操作機能を有する端末は、端末を水平方向及び鉛直方向に回転させるよう構成された回転装置を含む。図４に示されるように、本方法は以下の段階を含む。
【０１３１】
Ｓ４０１：端末を回転させるよう回転装置を制御するプロセスにおいて、端末は、端末周辺の遠隔操作される装置に関し、端末に対する遠隔操作される各装置の空間角座標を決定する。
【０１３２】
Ｓ４０２：端末は、端末が送信した赤外線信号が当該空間角座標にある遠隔操作される装置に向くように、空間角座標に従って端末を回転させるよう、決定した空間角座標のセットごとに回転装置を制御し、遠隔操作される装置とペアリングを確立するように、空間角座標にある遠隔操作される装置に赤外線信号を送信する。
【０１３３】
任意で、端末周辺の遠隔操作される装置に関し、端末に対する遠隔操作される各装置の空間角座標を端末が決定する段階は、端末が、端末を水平方向及び鉛直方向に回転させるよう回転装置を制御して、回転プロセスにおいて予め設定した時間間隔ごとに、予め設定した水平角及び鉛直角ごとに、又は複数の予め設定した空間角で別々に写真を撮影し、撮影した写真ごとに、写真を撮影した際の端末のピッチ角及び水平角を記録する段階と、端末が、撮影した写真から遠隔操作される各装置の写真を判定して、遠隔操作される装置ごとに、遠隔操作される装置の写真から遠隔操作される装置が中心に存在する写真を判定する段階と、遠隔操作される装置ごとに、遠隔操作される装置が中心に存在する写真に対応する記録したピッチ角及び水平角を、端末が端末に対する遠隔操作される装置の空間角座標として用いる段階とを含む。
【０１３４】
任意で、撮影した写真から遠隔操作される各装置の写真を端末が選択する段階は、撮影した写真ごとに、写真内の撮影された物体の外観特性値を端末が抽出する段階と、写真内の撮影された物体から抽出した外観特性値を、端末に格納された赤外線方式で遠隔操作され得る装置の外観特性値と端末が比較して、撮影された物体の外観特性値が撮影された物体の格納された外観特性値と一致する写真を、遠隔操作される装置の写真として用いる段階とを含む。
【０１３５】
任意で、撮影された物体の外観特性値が撮影された物体の格納された外観特性値と一致する写真を、遠隔操作される装置の写真として端末が用いる段階の後、決定した空間角座標のセットごとに、端末が空間角座標にある遠隔操作される装置とペアリングを確立する段階の前に、本方法はさらに、撮影された物体の外観特性値が撮影された物体の格納された外観特性値と一致する写真内の撮影された物体の外観特性値に従って、写真内の遠隔操作される装置のタイプを判定する段階を含み、遠隔操作される装置とペアリングを確立するように、決定した空間角座標のセットごとに、端末が空間角座標にある遠隔操作される装置に赤外線信号を送信する段階は、空間角座標にある遠隔操作される装置のタイプに従って、決定した空間角座標のセットごとに端末が、端末に格納された赤外線コードライブラリから赤外線コードを選択する段階と、遠隔操作される装置とペアリングを確立するように、選択した赤外線コードに従って、端末が赤外線信号を遠隔操作される装置に送信する段階とを含む。
【０１３６】
任意で、遠隔操作される装置とペアリングを確立するように、選択した赤外線コードに従って端末が赤外線信号を遠隔操作される装置に送信する段階は、赤外線信号を送信する段階の後に、遠隔操作される装置が赤外線信号を受信した後に生じる遠隔操作される装置の状態変化を、端末のセンサを用いて端末が感知する段階と、端末が遠隔操作される装置とのペアリング確立に成功したかどうかを、センサが感知する遠隔操作される装置の状態変化に従って、端末が判定する段階とを含む。
【０１３７】
任意で、センサが感知した遠隔操作される装置の状態変化に従って、端末が遠隔操作される装置とのペアリング確立に成功したかどうかを端末が判定する段階は、動作感知情報に従って遠隔操作される装置の状態変化を端末が判定する段階であって、動作感知情報は、遠隔操作される装置が赤外線信号を受信した後に生じる遠隔操作される装置の感知された状態変化によって、センサにより取得される情報である、段階と、判定した遠隔操作される装置の状態変化が赤外線信号により示される動作と一致する場合には、端末が遠隔操作される装置とのペアリング確立に成功したと端末が判定する段階、又は判定した遠隔操作される装置の状態変化が赤外線信号により示される動作と一致しない場合には、端末が遠隔操作される装置とのペアリング確立に失敗したと端末が判定する段階を含む。任意で、センサは音センサ及び／又はカメラを含む。
【０１３８】
具体的な実施形態１〜実施形態５を用いて、本発明の実施形態をさらに以下に示す。
［実施形態１］
【０１３９】
実施形態１では、センサは音センサを含み、音センサはマイクであってよく、遠隔操作される装置はテレビであり、プロセッサは赤外線信号をテレビに送信するよう赤外線送信機を制御し、赤外線信号により示される動作は「電源投入」である。
【０１４０】
送信機が赤外線信号を送信した後に、センサはテレビが発した音の変化を感知する。
【０１４１】
１つの態様では、音が感知された場合、センサは対応する動作感知情報、例えば、音が感知されたことを示すのに用いられる音情報を取得し、この情報は１ビット情報の「１」であってよい。音が感知されたことを示すのに用いられ、センサにより送信される音情報の「１」を受信した後に、プロセッサは、遠隔操作される装置が「電源投入」の動作を実行したと判定し、遠隔操作される装置の状態変化が、赤外線信号により示される「電源投入」の動作と一致すると判定し、端末が遠隔操作される装置とのペアリング確立に成功したと判定することが可能である。
【０１４２】
別の態様では、無音が感知された場合、センサは対応する動作感知情報、例えば、無音が感知されたことを示すのに用いられる情報も取得することができる。音が感知されたことを示すのに用いられる音情報の「１」と異なり、無音が感知されたことを示すのに用いられる情報は「０」であってもよい。プロセッサは、無音が感知されたことを示すのに用いられる受信した情報に従って、遠隔操作される装置が、「電源投入」の動作を実行しなかったと判定し、遠隔操作される装置の状態変化が、赤外線信号により示される「電源投入」の動作と一致しないと判定し、端末が遠隔操作される装置とのペアリング確立に失敗したと判定する。
【０１４３】
あるいは、センサが取得する動作感知情報は、センサが感知する音の音特性情報であり、例えば、無音から有音への変化、小音量から大音量への変化、大音量から小音量への変化、又は有音から無音への変化である。
【０１４４】
テレビが赤外線信号を受信した後に正しく「電源投入」の動作を実行した場合、センサは無音から有音への変化を感知し、取得した動作感知情報は、無音から有音への変化を示すのに用いられる音特性情報である。プロセッサは、無音から有音への変化を示すのに用いられてセンサにより送信される音特性情報に従って、テレビが「電源投入」の動作を実行したと判定し、これは赤外線信号により示される動作と一致するため、端末がテレビとのペアリング確立に成功したと判定する。
【０１４５】
テレビが赤外線信号を受信する前に電源が入っていて、テレビが赤外線信号を受信した後に「音量ダウン」の動作を間違って実行した場合、センサは大音量から小音量への変化を感知し、取得した動作感知情報は、大音量から小音量への変化を示すのに用いられる音特性情報である。プロセッサは、大音量から小音量への変化を示すのに用いられてセンサにより送信される音特性情報に従って、テレビが「音量ダウン」の動作を実行したと判定し、これは赤外線信号により示される動作と一致しないため、端末がテレビとのペアリング確立に失敗したと判定する。
［実施形態２］
【０１４６】
実施形態２では、センサはカメラを含み、遠隔操作される装置はエアコンであり、プロセッサは赤外線信号をエアコンに送信するよう赤外線送信機を制御し、赤外線信号により示される動作は「電源投入」である。
【０１４７】
送信機が赤外線信号を発した後に、センサはエアコンのエアデフレクタの状態変化を感知する。
【０１４８】
１つの態様において、センサとして働くカメラが、閉状態から開状態へのエアコンのエアデフレクタの変化をキャプチャした場合、カメラは対応する動作感知情報、例えば、閉状態から開状態へのエアデフレクタの変化がキャプチャされたことを示すのに用いられる情報を取得し、この情報は１ビット情報の「１」であってよい。閉状態から開状態へのエアデフレクタの変化を示すのに用いられ、センサにより送信される「１」の情報を受信した後に、プロセッサは、遠隔操作される装置として働くエアコンが「電源投入」の動作を実行したと判定し、遠隔操作される装置の状態変化が、赤外線信号により示される「電源投入」の動作と一致すると判定し、端末が遠隔操作される装置とのペアリング確立に成功したと判定することが可能である。
【０１４９】
別の態様では、センサとして働くカメラが、閉状態から開状態へのエアコンのエアデフレクタの変化をキャプチャしなかった場合、例えば、エアコンのエアデフレクタが静止したままである場合、センサは対応する動作感知情報、例えば、閉状態から開状態へのエアコンのエアデフレクタの変化がキャプチャされなかったことを示すのに用いられる情報も取得することが可能である。閉状態から開状態へのエアデフレクタの変化がキャプチャされたことを示すのに用いられる「１」の情報と異なり、閉状態から開状態へのエアコンのエアデフレクタの変化がキャプチャされなかったことを示すのに用いられる情報は、「０」であってもよい。プロセッサは、閉状態から開状態へのエアコンのエアデフレクタの変化がキャプチャされなかったことを示すのに用いられる受信した情報に従って、遠隔操作される装置として働くエアコンが「電源投入」の動作を実行しなかったと判定し、遠隔操作される装置の状態変化が、赤外線信号により示される「電源投入」の動作と一致しないと判定し、端末が遠隔操作される装置とのペアリング確立に失敗したと判定する。
［実施形態３］
【０１５０】
実施形態３では、センサは音センサ及びカメラを含み、遠隔操作される装置はテレビであり、プロセッサは赤外線信号をテレビに送信するよう赤外線送信機を制御し、赤外線信号により示される動作は「電源投入」である。
【０１５１】
送信機が赤外線信号を発した後に、テレビが発する音をセンサ内の音センサが感知し、対応する第１の動作感知情報を取得し、取得した第１の動作感知情報をプロセッサに送信する。第１の動作感知情報を取得するための方法に関しては、実施形態１を参照することが可能であり、詳細はここで再度説明しない。
【０１５２】
送信機が赤外線信号を発した後に、センサ内のカメラはテレビ画面を撮影し、テレビ画面の明度変化を感知し、撮影結果に従って対応する第２の動作感知情報を取得し、取得した第２の動作感知情報をプロセッサに送信する。
【０１５３】
具体的には、暗状態から明状態へのテレビ画面の変化がキャプチャされた場合、カメラは対応する第２の動作感知情報、例えば、暗状態から明状態への画面の変化がキャプチャされたことを示すのに用いられる情報を取得し、この情報は１ビット情報の「１」であってよい。暗状態から明状態へのテレビ画面の変化がキャプチャされなかった場合、例えば、テレビ画面が暗状態のままである場合、カメラは対応する第２の動作感知情報、例えば、暗状態から明状態への画面の変化がキャプチャされなかったことを示すのに用いられる情報を取得する。暗状態から明状態への画面の変化がキャプチャされたことを示すのに用いられる「１」の情報と異なり、暗状態から明状態への画面の変化がキャプチャされなかったことを示すのに用いられる情報は、「０」であってもよい。
【０１５４】
プロセッサは、音センサから受信した第１の動作感知情報と、カメラから受信した第２の動作感知情報とに従って、テレビが実行した操作を総合的に判定する。
【０１５５】
例えば、比較的厳しい判定基準に従い、プロセッサは、第１の動作感知情報及び第２の動作感知情報が両方とも、暗状態から明状態への画面の変化を示すという条件下で、テレビが「電源投入」の動作を実行したと判定してもよく、第１の動作感知情報及び第２の動作感知情報のどちらか又はどちらも、暗状態から明状態への画面の変化を示さないという条件下で、テレビが「電源投入」の動作を実行しなかったと判定してもよい。
【０１５６】
あるいは、比較的緩やかな判定基準に従い、プロセッサは、第１の動作感知情報及び第２の動作感知情報のどちらか又は両方とも、暗状態から明状態への画面の変化を示すという条件下で、テレビが「電源投入」の動作を実行したと判定してもよく、第１の動作感知情報及び第２の動作感知情報のどちらも、暗状態から明状態への画面の変化を示さないという条件下で、テレビが「電源投入」の動作を実行しなかったと判定してもよい。
【０１５７】
テレビが「電源投入」の動作を実行したとプロセッサが判定した場合、プロセッサは、テレビの状態変化が赤外線信号により示される「電源投入」の動作と一致すると判定し、端末がテレビとのペアリング確立に成功したと判定するが、他の場合には、端末がテレビとのペアリング確立に失敗したと判定する。
【０１５８】
本発明の実施形態において、端末が遠隔操作される装置とペアリングを自動的に確立するための解決手段が、実施形態４及び実施形態５を用いて以下に示される。
［実施形態４］
【０１５９】
図５は、本発明の実施形態１による、赤外線遠隔操作機能を有する端末と遠隔操作される装置との間のペアリングに関する概略図である。図５に示されるように、端末Ａには、カメラ、マイク、及び赤外線送信機が設けられており、端末Ａは携帯電話であってよい。
【０１６０】
端末Ａはホルダにはめ込まれてよく、ホルダは回転装置Ｂにあって、端末Ａを固定するよう構成される。
【０１６１】
回転装置Ｂは、命令を介し端末Ａと通信し、端末Ａにより送信された命令を回転動作に変換し、端末Ａを水平方向及び鉛直方向に回転させることが可能である。
【０１６２】
回転プロセスでは、端末Ａは、周辺の遠隔操作される各装置Ｃの空間角座標を決定し、決定した遠隔操作される装置Ｃの空間角座標に端末を向けるよう、回転装置Ｂに命令を用いて命令する。
【０１６３】
遠隔操作される装置Ｃの空間角座標の方向に回転した後に、端末Ａは、赤外線送信機を用いて赤外線信号を遠隔操作される装置Ｃに送信し、端末のカメラ又はマイクなどのセンサを用いて、遠隔操作される装置Ｃの状態変化を感知する。
【０１６４】
遠隔操作される装置Ｃが、端末Ａにより送信される赤外線信号を受信した場合、遠隔操作される装置Ｃが正しく応答できるならば、遠隔操作される装置Ｃは赤外線信号により示される動作を実行する。例えば、赤外線信号が電源投入を示し、且つ遠隔操作される装置Ｃがテレビであるならば、遠隔操作される装置Ｃが正しく応答する場合、遠隔操作される装置Ｃの画面が暗状態から明状態に変わる。端末Ａのカメラは、暗状態から明状態への遠隔操作される装置Ｃの画面の変化をキャプチャし、端末Ａは、端末Ａが遠隔操作される装置Ｃとのペアリング確立に成功したと判定する。
［実施形態５］
【０１６５】
図６は、本発明の実施形態５による、赤外線遠隔操作機能を有する端末と遠隔操作される装置との間のペアリングに関するフローチャートである。図６に示されるように、プロセスは以下の段階を含む。
【０１６６】
Ｓ６０１：端末Ａを回転装置Ｂに配置する。
【０１６７】
Ｓ６０２：端末Ａの電源を入れる。
【０１６８】
Ｓ６０３：端末Ａは徐々に回転し、回転装置Ｂの起点から終点へと移動する。
【０１６９】
Ｓ６０４：端末Ａは、回転プロセスにおいて特定の角度ごとに写真を撮影し、各写真の空間角座標を記録する。
【０１７０】
Ｓ６０５：端末Ａは、遠隔操作される装置を含む可能性がある写真を撮影した写真から選択する。
【０１７１】
Ｓ６０６：端末Ａは、同じ遠隔操作される装置を含んだ写真から、遠隔操作される装置が中心に存在する写真を選択し、その写真を撮影した際の端末Ａの水平角及びピッチ角を、遠隔操作される装置の空間角座標として用いる。
【０１７２】
Ｓ６０７：端末Ａは、第１の遠隔操作される装置の座標を読み取り、座標が示す方向に端末Ａを回転させる命令を回転装置Ｂに送信する。
【０１７３】
Ｓ６０８：端末Ａは赤外線コードライブラリに照会し、特定のモデルの遠隔操作命令（例えば、電源投入）を遠隔操作される装置に送信する。
【０１７４】
Ｓ６０９：端末Ａのカメラが、遠隔操作される装置の動作に関する写真を撮影し、端末Ａのマイクが、遠隔操作される装置の動作に関する音を記録する。
【０１７５】
Ｓ６１０：端末Ａは、遠隔操作される装置が正しく応答したかどうかを判定する。正しく応答した場合には、段階Ｓ６１５を実行する。そうでなければ、段階Ｓ６１１を実行する。
【０１７６】
Ｓ６１１：端末Ａは、赤外線コードライブラリが遠隔操作される装置のためにトラバースされたかどうかを判定する。トラバースされた場合には、段階Ｓ６１３を実行する。そうでなければ、段階Ｓ６１２を実行する。
【０１７７】
Ｓ６１２：端末Ａは赤外線コードライブラリに照会し、次のモデルの遠隔操作命令（例えば、電源投入）を遠隔操作される装置に送信する。その後、段階Ｓ６０９を実行する。
【０１７８】
Ｓ６１３：端末Ａは、次の遠隔操作される装置が存在するかどうかを判定する。存在する場合には、段階Ｓ６１４を実行する。そうでなければ、プロセスを終了する。
【０１７９】
Ｓ６１４：端末Ａは、次の遠隔操作される装置の座標を読み取り、座標が示す方向に端末Ａを回転させる命令を回転装置Ｂに送信する。
【０１８０】
Ｓ６１５：端末Ａは、端末Ａが遠隔操作される装置とのペアリング確立に成功したと判定する。その後、段階Ｓ６１３を実行する。
【０１８１】
最後に、本発明の実施形態は、赤外線遠隔操作機能を有する端末と、赤外線遠隔操作のためのペアリング方法とを提供する。赤外線信号を遠隔操作される装置に送信した後に、端末は、端末に内蔵された又は端末に接続されたセンサを用いて、遠隔操作される装置の動作を感知する。また端末は、遠隔操作される装置の感知された状態変化に従って、端末が遠隔操作される装置とのペアリング確立に成功したかどうかを判定する。端末が遠隔操作される装置とペアリングを自動的に確立するための解決手段が提供され、インテリジェントな遠隔操作の間のペアリングプロセスについて自動化の程度が改善される。
【０１８２】
本発明の実施形態は、方法、システム、又はコンピュータプログラム製品として提供されてよいことを、当業者であれば理解するであろう。したがって、本発明は、ハードウェア専用の実施形態、ソフトウェア専用の実施形態、又はソフトウェアとハードウェアとの組み合わせによる実施形態の形式を用いることが可能である。さらに、本発明は、コンピュータが使えるプログラムコードを含んだ１つ又は複数のコンピュータが使える記憶媒体（限定されないが、ディスクメモリ、ＣＤ−ＲＯＭ、光メモリなどを含む）上に実装されるコンピュータプログラム製品の形式を用いてもよい。
【０１８３】
本発明は、本発明の実施形態に従い、方法、装置（システム）、及びコンピュータプログラム製品に関するフローチャート及び／又はブロック図を参照して説明されている。コンピュータプログラム命令は、フローチャート及び／又はブロック図における、各プロセス及び／又は各ブロックを実装するのに用いられてよく、あるいは、フローチャート及び／又はブロック図における、あるプロセス及び／又はあるブロックの組み合わせを実装するのに用いられてもよいことを理解されたい。これらのコンピュータプログラム命令は、汎用コンピュータ、専用コンピュータ、組み込みプロセッサ、又はその他のプログラマブルデータ処理装置のプロセッサに提供して機械を生み出すことが可能であり、これにより、その他のプログラマブルデータ処理装置のコンピュータ又はプロセッサにより実行される命令は、フローチャートにおける１つ又は複数のプロセス、及び／又はブロック図における１つ又は複数のブロックに特定の機能を実装する装置を生み出す。
【０１８４】
コンピュータ又はその他のプログラマブルデータ処理装置に、特定の方法で働くよう命令することができるこれらのコンピュータプログラム命令は、コンピュータ可読メモリに格納されることも可能であり、これにより、コンピュータ可読メモリに格納された命令は、命令装置を含む製品を生み出す。命令装置は、フローチャートにおける１つ又は複数のプロセス、及び／又はブロック図における１つ又は複数のブロックに特定の機能を実装する。
【０１８５】
これらのコンピュータプログラム命令は、コンピュータまたは別のプログラマブルデータ処理装置上にロードされることも可能であり、その結果、一連の動作及び段階がコンピュータ又は別のプログラマブル装置上で実行され、これによりコンピュータ実装処理を生み出す。したがって、コンピュータ又は別のプログラマブル装置上で実行される命令は、フローチャートにおける１つ又は複数のプロセス、及び／又はブロック図における１つ又は複数のブロックに特定の機能を実装する段階を提供する。
【０１８６】
本発明のいくつかの好ましい実施形態が説明されているが、当業者は、基本的な発明のコンセプトを習得すれば、これらの実施形態に変更及び修正を加えることができる。したがって、以下の特許請求の範囲は、本発明の範囲内に含まれる例示的な実施形態並びに全ての変更及び修正を包含するものと解釈されるよう意図されている。
【０１８７】
当業者であれば、本発明の精神及び範囲から逸脱することなく、本発明に様々な修正及び変形を加え得ることが明らかである。本発明は、これらの修正及び変形が、以下の特許請求の範囲及びその均等な技術により規定される保護範囲内に含まれるならば、これらの修正及び変形を包含するよう意図されている。
【図１ａ】
2017537554.tif 000003
【図１ｂ】
2017537554.tif 000004
【図２】
2017537554.tif 000005
【図３】
2017537554.tif 000006
【図４】
2017537554.tif 000007
【図５】
2017537554.tif 000008
【図６】
2017537554.tif 000009
【手続補正書】
【提出日】平成29年7月6日(2017.7.6)
【手続補正１】
【補正対象書類名】特許請求の範囲
【補正対象項目名】全文
【補正方法】変更
【補正の内容】
【特許請求の範囲】
【請求項１】
赤外線遠隔操作機能を有する端末であって、
赤外線コードライブラリを格納するメモリと、
前記メモリに格納された前記赤外線コードライブラリから赤外線コードを選択するプロセッサと、
前記プロセッサが選択した前記赤外線コードに従って、遠隔操作される装置に赤外線信号を送信する赤外線送信機と、
前記赤外線送信機が前記赤外線信号を送信した後、前記遠隔操作される装置が前記赤外線信号を受信後に生じる前記遠隔操作される装置の状態変化を感知するセンサと
を備え、
前記プロセッサはさらに、前記センサが感知した前記遠隔操作される装置の前記状態変化に従って、前記端末が前記遠隔操作される装置とのペアリング確立に成功したかどうかを判定する、
端末。
【請求項２】
前記端末はさらに回転装置を備え、前記回転装置は、前記プロセッサの制御の下で、前記端末を水平方向及び鉛直方向に回転させ、
前記プロセッサはさらに、前記赤外線送信機が前記赤外線信号を前記遠隔操作される装置に発する前に、前記遠隔操作される装置の前記端末に対する空間角座標を決定し、前記端末が送信した前記赤外線信号が前記遠隔操作される装置に向くように、決定した前記空間角座標に従って前記端末を回転させるべく前記回転装置を制御し、
前記プロセッサは特に、前記端末が送信した前記赤外線信号が前記遠隔操作される装置に向くように、前記回転装置が前記端末を回転させた後に、前記プロセッサが選択した前記赤外線コードに従って、前記赤外線信号を前記遠隔操作される装置に送信すべく前記赤外線送信機を制御する、
請求項１に記載の端末。
【請求項３】
前記プロセッサは特に、
前記センサにより送信される動作感知情報を受信し、前記動作感知情報は、前記遠隔操作される装置が前記赤外線信号を受信した後に生じる前記遠隔操作される装置の感知された前記状態変化によって、前記センサにより取得される情報であり、
前記動作感知情報に従って前記遠隔操作される装置の前記状態変化を判定し、
判定した前記遠隔操作される装置の前記状態変化が前記赤外線信号により示された操作と一致する場合には、前記端末が前記遠隔操作される装置とのペアリング確立に成功したと判定し、又は、
判定した前記遠隔操作される装置の前記状態変化が前記赤外線信号により示される動作と一致しない場合には、前記端末が前記遠隔操作される装置とのペアリング確立に失敗したと判定する、
請求項１に記載の端末。
【請求項４】
赤外線遠隔操作機能を有する端末であって、
プロセッサと、赤外線送信機と、回転装置とを備え、
前記回転装置は、前記プロセッサの制御の下で、前記端末を水平方向及び鉛直方向に回転させ、
前記赤外線送信機は、前記プロセッサの制御の下で、赤外線信号を遠隔操作される装置に発し、
前記プロセッサは、
前記端末を回転させるよう前記回転装置を制御するプロセスにおいて、前記端末の周辺の遠隔操作される装置に関し、前記端末に対する遠隔操作される各装置の空間角座標を決定し、
前記端末が送信した前記赤外線信号が前記空間角座標にある遠隔操作される装置に向くように、前記空間角座標に従って前記端末を回転させるよう、決定した空間角座標のセットごとに前記回転装置を制御し、次に前記端末が前記遠隔操作される装置とペアリングを確立するように、前記赤外線信号を前記遠隔操作される装置に送信すべく前記赤外線送信機を制御する、
端末。
【請求項５】
前記端末はさらにセンサを備え、前記センサは、前記端末の周辺の物体の動作を感知し、
前記プロセッサは特に、
前記空間角座標にある前記遠隔操作される装置に前記赤外線信号を送信するよう、決定した空間角座標のセットごとに前記赤外線送信機を制御した後に、前記遠隔操作される装置が前記赤外線信号を受信した後に生じる前記遠隔操作される装置の状態変化を感知するよう前記センサを制御し、
前記センサが感知した前記遠隔操作される装置の前記状態変化に従って、前記端末が前記遠隔操作される装置とのペアリング確立に成功したかどうかを判定する、
請求項４に記載の端末。
【請求項６】
赤外線遠隔操作機能を有する端末の赤外線遠隔操作に関するペアリング方法であって、
前記端末に格納された赤外線コードライブラリから前記端末が赤外線コードを選択する段階と、
前記選択した赤外線コードに従って、前記端末が赤外線信号を遠隔操作される装置に送信する段階と、
前記遠隔操作される装置が前記赤外線信号を受信した後に生じる前記遠隔操作される装置の状態変化を、前記端末が前記端末のセンサを用いて感知する段階と、
前記センサが感知した前記遠隔操作される装置の前記状態変化に従って、前記端末が前記遠隔操作される装置とのペアリング確立に成功したかどうかを前記端末が判定する段階とを
備える
方法。
【請求項７】
前記端末は、前記端末を水平方向及び鉛直方向に回転させる回転装置を有し、
前記端末が、遠隔操作される装置用の赤外線コードを、前記端末に格納された赤外線コードライブラリから前記選択する段階の前に、前記方法はさらに、前記遠隔操作される装置の前記端末に対する空間角座標を前記端末が決定する段階を備え、
前記選択した赤外線コードに従って、前記端末が赤外線信号を遠隔操作される装置に前記送信する段階は、前記端末が送信した前記赤外線信号が前記遠隔操作される装置に向くように、決定した前記空間角座標に従って前記端末を回転させるよう、前記端末が前記回転装置を制御する段階を含む、
請求項６に記載の方法。
【請求項８】
前記端末が前記遠隔操作される装置とのペアリング確立に成功したかどうかを、前記端末が、前記遠隔操作される装置の感知された前記状態変化に従って前記判定する段階は、
動作感知情報に従って、前記端末が前記遠隔操作される装置の前記状態変化を判定する段階であって、前記動作感知情報は、前記遠隔操作される装置が前記赤外線信号を受信した後に生じる前記遠隔操作される装置の感知された前記状態変化によって、前記センサにより取得される情報である、段階と、
判定した前記遠隔操作される装置の前記状態変化が、前記赤外線信号により示される動作と一致する場合には、前記端末が前記遠隔操作される装置とのペアリング確立に成功したと前記端末が判定する段階、又は判定した前記遠隔操作される装置の前記状態変化が、前記赤外線信号により示される動作と一致しない場合には、前記端末が前記遠隔操作される装置とのペアリング確立に失敗したと前記端末が判定する段階とを含む、
請求項６に記載の方法。
【請求項９】
赤外線遠隔操作機能を有する端末の赤外線遠隔操作に関するペアリング方法であって、前記端末は、前記端末を水平方向及び鉛直方向に回転させる回転装置を備え、
前記端末を回転させるよう前記回転装置を制御するプロセスにおいて、前記端末の周辺の遠隔操作される装置に関し、前記端末に対する遠隔操作される各装置の空間角座標を前記端末が決定する段階と、
前記端末が送信した赤外線信号が前記空間角座標にある遠隔操作される装置に向くように、前記空間角座標に従って前記端末を回転させるよう、決定した空間角座標のセットごとに前記回転装置を前記端末が制御し、次に前記遠隔操作される装置とペアリングを確立するように、前記空間角座標にある前記遠隔操作される装置に前記赤外線信号を送信する段階と
を備える
方法。
【請求項１０】
前記赤外線信号を送信する段階の後に、前記遠隔操作される装置が前記赤外線信号を受信した後に生じる前記遠隔操作される装置の状態変化を、前記端末が前記端末のセンサを用いて感知する段階と、
前記センサが感知した前記遠隔操作される装置の前記状態変化に従って、前記端末が前記遠隔操作される装置とのペアリング確立に成功したかどうかを前記端末が判定する段階と
をさらに備える、
請求項９に記載の方法。
【手続補正２】
【補正対象書類名】明細書
【補正対象項目名】００１１
【補正方法】変更
【補正の内容】
【００１１】
第１の態様に関連して、第１の可能な実装態様では、端末はさらに回転装置を含む。回転装置は、プロセッサの制御の下で、端末を水平方向及び鉛直方向に回転させるよう構成される。プロセッサはさらに、赤外線送信機が赤外線信号を遠隔操作される装置に発する前に、端末に対する遠隔操作される装置の空間角座標を決定し、端末が送信した赤外線信号が遠隔操作される装置に向くように、決定した空間角座標に従って端末を回転させるべく回転装置を制御するよう構成される。端末が送信した赤外線信号が遠隔操作される装置に向くように、回転装置が端末を回転させた後に、プロセッサは特に、プロセッサが選択した赤外線コードに従って、赤外線信号を遠隔操作される装置に送信すべく赤外線送信機を制御するよう構成される。
【手続補正３】
【補正対象書類名】明細書
【補正対象項目名】００５６
【補正方法】変更
【補正の内容】
【００５６】
ＲＦ回路１００５は、情報受信プロセス及び情報送信プロセスの間に又は通話プロセスの間に、信号を受信及び送信するよう構成されることが可能である。具体的には、ＲＦ回路１００５は基地局からダウンリンク情報を受信し、次に処理するためにダウンリンク情報をプロセッサ１００２に送り、アップリンクデータを基地局に送信する。一般的にＲＦ回路は、限定されないが、アンテナ、少なくとも１つの増幅器、送受信機、カプラ、低雑音増幅器（Ｌｏｗ  Ｎｏｉｓｅ  Ａｍｐｌｉｆｉｅｒ、ＬＮＡ）、及びデュプレクサを含む。さらに、ＲＦ回路１００５は、無線通信を用いてネットワーク及び別の装置と通信することも可能である。無線通信はあらゆる通信規格又は通信プロトコルを用いることができ、それらには、限定されないが、移動体通信用グローバルシステム（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ（登録商標））、汎用パケット無線サービス（Ｇｅｎｅｒａｌ  Ｐａｃｋｅｔ  Ｒａｄｉｏ  Ｓｅｒｖｉｃｅ、ＧＰＲＳ）、符号分割多重接続（Ｃｏｄｅ  Ｄｉｖｉｓｉｏｎ  Ｍｕｌｔｉｐｌｅ  Ａｃｃｅｓｓ、ＣＤＭＡ）、広帯域符号分割多重接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ（登録商標））、ロングタームエボリューション（Ｌｏｎｇ  Ｔｅｒｍ  Ｅｖｏｌｕｔｉｏｎ、ＬＴＥ）、電子メール、ショートメッセージングサービス（Ｓｈｏｒｔ  Ｍｅｓｓａｇｉｎｇ  Ｓｅｒｖｉｃｅ、ＳＭＳ）などが含まれる。
【手続補正４】
【補正対象書類名】明細書
【補正対象項目名】００７６
【補正方法】変更
【補正の内容】
【００７６】
任意で、図１ｂに示されるように、端末１０はさらに回転装置１００６を含み、プロセッサ１００２の制御の下で、回転装置１００６は端末１０を水平方向及び鉛直方向に回転させる。回転装置１００６は端末１０から取り外すことが可能である、又は回転装置１００６は納品前に端末１０に固定して取り付けられている。
【手続補正５】
【補正対象書類名】明細書
【補正対象項目名】０１５９
【補正方法】変更
【補正の内容】
【０１５９】
図５は、本発明の実施形態４による、赤外線遠隔操作機能を有する端末と遠隔操作される装置との間のペアリングに関する概略図である。図５に示されるように、端末Ａには、カメラ、マイク、及び赤外線送信機が設けられており、端末Ａは携帯電話であってよい。
【国際調査報告】
2017537554.tif 000010
2017537554.tif 000011
2017537554.tif 000012
2017537554.tif 000013
2017537554.tif 000014
2017537554.tif 000015